(57)【要約】  ａ) アナライトを含有していると疑われる液体試料１の中に存在する、および  ｂ) 少なくとも二つの結合構造ＢＳに同時に親和性結合する点で少なくとも二価であるアナライトの決定方法。方法は、アナライトおよび固相に固定化される親和性反応物１を含む、親和性複合体の生成を含む。方法は、(i)親和性反応物１が固定化される固相を含有している反応キャビティを含む微小流体流路を提供する、(ii)キャビティの上流で試料１を提供して、それを流動条件下に親和性複合体の形成のためにキャビティを通って流す、(iii)ａ)工程(ii)の後で複合体の中に結合構造ＢＳを含む、分析的に検出可能でかつ可溶性の親和性反応物２を組み込む、およびｂ)組み込まれた親和性反応物２の量を測定する、ことによって固相の中で形成した複合体の量を測定する工程を含む。
2008527372.tif 000002
【特許請求の範囲】
【請求項１】
アナライトと、ＢＳを提示して固相に固定化される親和性反応物１を含む親和性複合体の生成により、
ａ) アナライトを含有していると疑われる液体試料１の中に存在する、および
ｂ) 少なくとも二つの同等な結合構造ＢＳに同時に親和性結合する能力に関して少なくとも二価であるアナライトの決定方法であって、
(i) 微小流体装置のマイクロチャネル構造の形態で流路を提供し、当該構造が、その中に親和性反応物１が固定化された固相がある反応キャビティを含んでいる、
(ii) キャビティの上流の位置で試料１を提供して、試料１を流動条件下に親和性複合体の生成の形成用の反応キャビティを通って流動する、
(iii) 固相の中に形成される複合体の量を
ａ．結合構造ＢＳを反応キャビティの上流の位置の中に含む、分析的に検出可能でかつ可溶性の親和性反応物２を含有する液体試料２を提供すること、
ｂ．試料１が同一のキャビティを通過していた後でこの試料２をキャビティを通って流動すること、および
ｃ．複合体の中に組み込まれた親和性反応物２の量を測定すること
により測定する：
工程を含んでいることを特徴とする、方法。
【請求項２】
アナライトが抗−ＢＳ抗体であることを特徴とする、請求項１に記載の方法。
【請求項３】
抗−ＢＳ抗体がＢＳに対する親和性の点で異なる抗−ＢＳ抗体の副集団を含むことを特徴とする、請求項２に記載の方法。
【請求項４】
抗−ＢＳ抗体が異なるモノクローナル抗−ＢＳ抗体の混合物であることを特徴とする、請求項２に記載の方法。
【請求項５】
抗−ＢＳ抗体がポリクローナル抗−ＢＳ抗体である、即ち、異なる細胞から由来しているモノクローナル抗−ＢＳ抗体の混合物を含んでいる天然の抗−ＢＳ抗体調製物であることを特徴とする、請求項２〜４のいずれか１項に記載の方法。
【請求項６】
請求項２〜５のいずれか１項に記載の方法であって、固相の中のＢＳの密度および量ならびに工程(ii)の間の流体速度を、抗体副集団のフラクションのみが固相のＢＳにより捕捉されるようにお互いに適合させたことを特徴とする、方法。
【請求項７】
請求項１〜６のいずれか１項に記載の方法であって、本方法の間で加工に耐える結合を形成するために、お互いに相互的に反応性である、反応性構造の固定ペアの使用により固相のＢＳが固相に結合していて、当該反応性構造(ＲＳｓｐ)の一方が工程(i)の前に固相の上に予め導入され、他方の反応性構造(ＲＳａｒｉ)が親和性反応物１の上に存在し、そして当該形成が工程(i)の前もしくは間の何れかで行われることを特徴とする、方法。
【請求項８】
当該固定ペアが固相に結合しているリガンドＬを含んでいる固定親和性ペアであって、カウンターパートがＢＳに結合している固定結合要素Ｂであることを特徴とする、請求項７に記載の方法。
【請求項９】
工程(ii)で使用される固相がＢＳの固定化に利用されたことがない反応性ＲＳｓｐ構造から誘導された構造を含むことを特徴とする、請求項７〜８のいずれか１項に記載の方法。
【請求項１０】
当該固相が多孔性床の形態であることを特徴とする、請求項１〜９のいずれか１項に記載の方法。
【請求項１１】
請求項１〜１０のいずれか１項に記載の方法であって、
ａ) 当該アナライトが抗体である、
ｂ) 当該試料がＢＳを含んでいる抗原に暴露された後のもしくは暴露後と疑われる動物の体液から由来する、および
ｃ) 当該暴露が起ったかどうか、または当該暴露により免疫応答の状態が当該動物の中に生じたかどうかを決定するために、当該方法を実施する
ことを特徴とする、方法。
【請求項１２】
当該アナライトに関する疾患の診断に該方法が使用される、請求項１〜１２のいずれか１項に記載の方法。
【発明の詳細な説明】
【技術分野】
【０００１】
本発明の分野
本発明の第一の態様は、アナライトを含有していると疑われる液体試料１の中のアナライトを測定するための方法に関する。方法は、アナライトと、固相に固定化される親和性反応物１を含む、固定化親和性複合体の形成を含む。親和性反応物１は、アナライトに親和性結合可能な結合構造ＢＳを露出する。ＢＳは、アナライト上のＢＳ結合部位に親和性結合する複合体の中にある。複合体の形成のための条件は、試料１中のアナライトの量に関連する量で複合体が形成されるように選択される。複合体は、アナライトに親和性結合をすることにより親和性複合体の中に組み込まれる、分析的に検出可能な親和性反応物２の使用により測定される。
【０００２】
アナライトは、それが少なくとも二つの同等なエピトープに同時に結合をする能力があるという意味で少なくとも二価の抗体と同等である。本発明の免疫アッセイについては、かくしてアナライトは、それぞれの抗原結合部位が親和性反応物１の一部であるＢＳ(＝抗原(Ａｇ))に結合し得る、少なくとも二価の抗−ＢＳ抗体(Ａｂ)である。かくして、用語“アナライト”は好ましくは、天然のおよび組換えの抗体全長、天然の抗体の少なくとも二価の抗原に結合する能力を模倣する、種々の種類の遺伝子工学的に作られた形態を含む、組換えのおよび天然の(Ｆａｂ)２フラグメントおよびそれらの二価の抗原を結合フラグメントを含んでいるが、該用語はまた、本発明にしたがう親和性アッセイにより特性決定されるべきである、他の少なくとも二価の生体有機親和性反応物を含む。本発明でアナライトとして対象となり得る非抗体アナライトの例は、ストレプトアビジン、微生物に由来しているＩｇＧ結合タンパク質(タンパク質Ａ、Ｇ等)、ヒトフィブロネクチン等である。
【０００３】
試料１は、典型的に、試料１と同一である元の試料に由来してもよく、また元のアナライトを含有している元の試料を、試料１の中のアナライトの量が元の試料の中の元のアナライトの量に関連するように加工することにより得てもよい。
【０００４】
微小流体装置の中のマイクロチャネル構造、親和性反応物もしくはアナライト等のような、特定の項目の複数形は、三つもしくはそれ以上、四つもしくはそれ以上、五つもしくはそれ以上等のように、二つもしくはそれ以上の項目があることを意味する。さらに下を参照されたい。
用語“親和性反応物”および“親和性カウンターパート”は、これらの反応物が要求される特異性を有することを意図する。
本明細書中で引用される全ての特許文献および査定された特許は、出典明示によりその全体を本明細書の一部とする。これは、米国特許および特許出願ならびに米国を指定している国際特許出願に特に適用される。
【背景技術】
【０００５】
背景技術および本発明の目的
上に規定される種類のアッセイは、科学文献および特許文献の中で周知である。普通に使用される検出可能な親和性反応物２は、抗体アナライトのクラス−、サブクラス−、もしくは種−特異的な決定因子に、そして少数の場合には抗原結合部位に、結合し得る。一般的な記述では、この種類のアッセイを、微小流体系のような流体系の中で使用することが示唆された。例えば、ＷＯ  ０２０７５３１２、ＷＯ  ０３０１８１９８、ＷＯ  ０４０８３１０８、ＷＯ  ０４０８３１０９(全てGyros ABの)を参照されたい。
【０００６】
ＵＳ  ６,６５３,０６６(Krutzik)は、生物学的試料の中の抗−ＨＩＶ抗体を検出するための試料吸収材パッドに基づく試験細片を記述している。可溶性の標識ＨＩＶ抗原を上流区域の中に配置して、ＨＩＶ抗原を下流区域の中に固定化する。抗−ＨＩＶ抗体を含有していると疑われる試料を二つの区域を通して通過し、その後で下流区域に結合された標識ＨＩＶ抗原を検出する。殆ど任意の抗体特異性、親和性、および濃度の抗体アナライトに容易に適応され得る固相をいかに達成するか、または総スペクトルの親和性を含有している混合物の中で親和性が高いもしくは親和性が低い抗体副集団をいかに選択的に検出するかについては何も議論はない。
またDerwent  １９８９−３０３８３５(大日本製薬)を参照されたい。
【０００７】
親和性アッセイにおいて望ましい検出限界、精度(変動係数、ＣＶ)、動的範囲、信号対雑音比、回収率、診断的特異性および感度等に到達するにはしばしば問題がある。それ故に、一つ、二つもしくはそれ以上のこれらの特性に関して許容され得るレベル、例えば、ａ) ≦１０−６Ｍの、例えば≦１０−９Ｍもしくは≦１０−１２Ｍもしくは≦１０−１３Ｍもしくは≦１０−１４Ｍもしくは≦１０−１５Ｍもしくは≦１０−１６Ｍの検出限界、ｂ) 三、四、五、六以上もしくはそれ以上の桁の大きさである動的範囲、ｃ) ±２０％内の、例えば±１０％内もしくは±５％内もしくは±３％内の精度(ＣＶ)、ｄ) ≧７０％の、例えば≧８０％もしくは≧９０％もしくは≧９５％またはおよそ１００％もしくはそれ以上の回収率、を得ることを容易にするフォーマットにおいて上で定義した種類のアッセイを提供することは、一般的な要求およびゴールである。この要求は、ｎｌ−範囲を含むμＬ−範囲を下限とする試料容積、例えば、＜２０μＬ、例えば＜５,０００ｎＬもしくは＜１,０００ｎＬもしくは＜５００ｎＬが使用される微小流体アッセイについて、より顕著である。試料としては、アナライト試料および試薬試料ならびに希釈剤もしくは洗液として使用される試料が含まれる。
【０００８】
例えば、１：１０および１の間のように、１：１００および１の間の希釈係数を持つ、無希釈のもしくは低希釈の試料について種々の臨床アッセイを行うことがしばしば望まれる。この一般的な要望は、本発明の親和性アッセイ法に対するゴールとして適用可能である。
【０００９】
外因性の抗原への感染もしくは暴露においてならびにワクチン化のためにまたはアッセイ、捕捉、薬物等において反応物として使用されるべき抗体を作成するために免疫応答を積極的に誘発する試みにおいて、体液性免疫応答が喚起されて、相当の期間に亘り発達される。外因性の生物に対する予防のための一人前の免疫応答は、数ヶ月を取って、宿主、典型的には、哺乳動物、鳥類等のような脊椎動物、の中に発達し得る。免疫アッセイで反応物としておよび／または固定化かもしくは固定化可能の捕捉反応物として使用されるべき抗体は、他の品質基準を課す。相当する免疫応答は、抗体の特別な使用に依存してある特定の期間において中断される必要があり得る。経時的に免疫応答において生じる抗体の多様性が、免疫グロブリン(Ｉｇ)のクラス／サブクラスの間でシフトし得るが、また分子レベル、即ち、エピトープの特異性および親和性、即ち結合力、の観点から免疫応答をより正確にするプロセスの上で発展させ得る。後者のプロセスは、“親和性成熟”と呼ばれる。体液性免疫応答は、それが異なる抗体を生成する細胞から由来していて、エピトープの特異性、Ｉｇのクラス／サブクラス、親和性等に関して異なっている、抗体のスペクトルを含む意味で、ポリクローナルである。
【００１０】
現在、親和性が低いおよび／もしくは高い抗体の含量にしたがって体液性免疫応答を積極的にかつ効果的に区別することができる分析系は存在しない。アッセイ条件は、時には、高親和性抗体が優先的に選択される条件であってもよいが、大抵の場合には、大きい試料容積、長い拡散距離および長いインキュベーション時間が親和性にしたがう反応性抗体の選択を妨げるであろう。抗体アッセイは、意図される使用のために、例えば、生物学的マーカー(即ち、疾患、感染等のための診断マーカー)として、免疫アッセイでの反応物として、固定化もしくは固定化可能の捕捉反応物として等、限定された意義の抗体をしばしば測定する。診断的な抗原特異的抗体アッセイでは、臨床的にあまり重要でない抗体が、アッセイ結果の中に“含まれ”得て、臨床的に重要な抗体を曖昧にして、診断の正確さに負の影響を与える。抗体の存在をアッセイするのに専用の大抵のアッセイは、負の応答を弱い正のものから区別するのに困難を有する。
【発明の開示】
【００１１】
本発明の一つのゴールは、親和性が高い抗−ＢＳ抗体副集団の、親和性が低い抗−ＢＳ抗体副集団からの識別を容易にしているフォーマットで上述の抗体アッセイを提供することであり、ここで、両方の種類の副集団が、固定化親和性反応物１のＢＳに対して指向している。ポリクローナルのおよび個別のモノクローナル抗−ＢＳ抗体の混合物であるモノクローナル抗−ＢＳ抗体アナライトについては、用語“高い”および“低い”は主として、二つの副集団が、抗−ＢＳ抗体アナライトにより定義される親和性範囲の、それぞれ、最高の部分および最低の部分にある親和性の抗−ＢＳ抗体を含有しなければならないことを意味する。単一のモノクローナル抗−ＢＳ抗体を含むモノクローナル抗−ＢＳ抗体アナライトについては、用語は、それぞれ(同一の条件)、より高い程度にもしくは更に低い程度に結合することを示し、そこでは“より低い程度に”は、全く検出不可能な結合を含む。この文脈における親和性とは、親和性定数、即ち、ＫＢＳ−Ａｂ＝[ＢＳ−Ａｂ]／[ＢＳ][Ａｂ]を指す。親和性が高い抗体については、定数は、典型的に≧１０８Ｌ／モルであり、例えば≧１０９Ｌ／モルもしくは≧１０１０Ｌ／モルもしくは≧１０１２Ｌ／モルである。親和性が低い抗体については、定数は、≦１０７Ｌ／モルもしくは≦１０６Ｌ／モルもしくは≦１０４Ｌ／モルのように、典型的に≦１０８Ｌ／モルである。これらの親和性定数とは、Biacore (Uppsala, Sweden)からの生体センサー(表面プラスモン共鳴)により、即ち、デキストランで被膜した金の表面に固定化した抗原で、得られる値を指す。
類似のゴールおよび定義が、無抗体アナライトにまた適用可能である。
【００１２】
図面
図１．実験の部で用いられる微小流体装置の断面。断面は、マイクロチャネル構造のサブセットを含む。
図２ａ−ｂ．ＣＤアッセイ間およびＣＤアッセイ内の測定範囲。図２ａ：ウサギα−ＰＰＶを同じ日に三回操作した。測定範囲は、４桁以上で、ＣＤ間およびＣＤ内の両方で、良好な再現性を示している。ｘ軸上の１００の濃度は、１２５の希釈係数に相当する。図２ｂ：１.９６〜６.０８の範囲にあるＣＶのプロット化。
図３ａ−ｂ．再現性。図３ａ：プールされて逐次的に希釈された五匹のマウスからの四つの標準曲線。操作を同一の機器の上で四日繰り返した。お互いのトップに標準曲線を置くことにより良好な再現性を立証することができた。ｘ軸上の１００の濃度は、１２５の希釈係数に相当する。図３ｂ：ＣＶは、３.７４〜６.１５の範囲であり、変動は小さい。
図４ａ−ｃ．アナライトとして三つの異なる抗−ｈＩｇＧモノクローナルについての標準曲線および固相の上の捕捉抗原(親和性反応物１)としてのｈＩｇＧの種々の量／密度。検出抗原は、フルオロフォアで標識したｈＩｇＧ(親和性反応物２)である。
【００１３】
本発明
本発明者らは、ａ) 試料１が、抗−ＢＳ抗体アナライトの少なくとも一つの抗原結合部位が塞がれないままであるような条件下で固相を含有している反応キャビティを通って通過している間に、親和性反応物１と、抗体アナライトの間の固定化親和性複合体の形成が形成される、およびｂ) 抗−ＢＳ抗体アナライトの抗原結合部位に結合し得る結合構造ＢＳ(抗原)を含む親和性反応物２を利用することにより、複合体の測定を行う、場合に、上述のゴールを少なくとも部分的に満たすことができることを見出した。
この態様にしたがう方法は、その最も一般的な態様において、
i) 親和性反応物１が固定化された固相を含有する反応キャビティを含んでいる流路を提供して、それによりアナライトへの親和性結合のためにＢＳを露出する、
ii) 反応キャビティの上流の位置で試料１を提供し、そして固定化親和性複合体の形成のために反応キャビティを通って、流動条件下で、そしてアナライトのＢＳ結合部位の一つが塞がれないままである形態で、好ましくは、固相の上流部分で顕著な量の複合体形成が起こり、かつ固相の下流部分で微々たる量の複合体形成しか起こらないで、試料１を流している、
iii) アナライトの上のＢＳを結合構造に結合し得る結合構造ＢＳを含む、分析的に検出可能かつ可溶性の親和性反応物２の使用により固相の中で組み立てられる複合体を測定する、ならびに
iv) それから試料１が由来する元の試料の中のアナライトの量に工程(iii)で見出された測定値を任意に関連付ける：
工程を含むことを特徴とする。
【００１４】
親和性反応物１および親和性反応物２の結合構造ＢＳは、二つの反応物の両方がアナライトの上のＢＳ結合部位に、例えば、抗体アナライトの抗原結合部位に、結合する能力があるかぎり、同一であっても異なっていてもよい。この文脈において、溶解性は懸濁性を含む。
【００１５】
工程(i)：反応キャビティ(１０４ａ−ｈ)、固定化結合構造ＢＳ、および固相物質を含んでいる流路
流路は、好ましくは、微小流体装置の中に存在する種類、即ち、基板中に作られ、その中で行われる構造中で行われるべきアッセイプロトコルの工程を可能にする、マイクロ導管の系により定義されるマイクロチャネル構造を持っている。典型的な微小流体装置は、例えば、Gyros AB/Amersham Biosciences（ＷＯ  ９９０５５８２７、ＷＯ  ９９０５８２４５、ＷＯ  ０２０７４４３８、ＷＯ  ０２０７５３１２、ＷＯ  ０３０１８１９８（ＵＳ  ２００３００４４３２２）等); Tecan/Gamera Bioscience (ＷＯ  ０１０８７４８７、ＷＯ  ０１０８７４８６、ＷＯ  ０００７９２８５、ＷＯ  ０００７８４５５、ＷＯ  ０００６９５６０、ＷＯ  ９８００７０１９、ＷＯ  ９８０５３３１１）；Amic AB（ＷＯ  ０３０２４５９７、ＷＯ  ０４１０４５８５、ＷＯ  ０３１０１４２４等)等により記述されている。あまり好ましい態様ではないが、流路は、反応キャビティ、混合キャビティ、バルブ機能等のような種々の機能性ユニットを繋いでいる管の形態であってもよい。なお他の態様では、流路は、液体輸送が毛管力等により起こり得る、或る種類の吸湿性物質／多孔性物質により構成される。後者の態様は、種々の種類の従来の試験細片を含む。
【００１６】
流路は、典型的に微小フォーマットである、即ち、マイクロチャネル構造／微小流体装置について下記のサイズの寸法を有するおよび／もしくはその液体容積を取り扱う能力がある。
反応キャビティは、微小フォーマットの中で好ましい態様にある。
【００１７】
反応キャビティ(１０４ａ−ｈ)は、結合構造ＢＳを保持している固相が存在する、流路(１０１ａ−ｈ)の一部として定義される。かくして、反応キャビティのおよびＢＳ−固相の上流／入口末端は合致する。同様な様式で、下流／入口末端は合致する。反応マイクロキャビティは、他の固相が、ＢＳが存在する固相の上流もしくは下流に置かれた、更に大きいチャンバーの部分であり得る。この他の固相は、ＢＳがない点で、および／もしくは固相物質の種類に関して、ＢＳ−固相と異なり得る。ＢＳがないこれらの他の固相のそれぞれは、一つもしくはそれ以上の他の結合構造、例えば、他のアナライト(Ａｎ''、Ａｎ'''等)に結合する能力があって、かくしてチャンバーの中で他の反応キャビティおよび親和性反応物(ＡＲｌ''、ＡＲｌ'''等)を定義するＢＳ''、ＢＳ'''等、を含有し得る。同一の固相／反応マイクロキャビティは、数多くの異なる固定化結合構造(ＢＳｓ)をまた含有し得る。固定化ＢＳもしくは異なるＢＳｓの組合せに関してお互いに異なる固相は、ＢＳがない固相、即ち、ダミー固相、により物理的に分離され得る。
【００１８】
反応キャビティ(１０４ａ−ｈ)は、典型的に、微小フォーマットにおいて、即ち、≦１０００μｍである、例えば≦５００μｍもしくは≦２００μｍである、少なくとも一つの断面の大きさ(深さおよび／もしくは幅)を有して、次いで、マイクロキャビティと呼ばれる。最小の断面の大きさは、典型的に、≧５μｍ、例えば≧２５μｍもしくは≧５０μｍである。反応キャビティの総容積は、典型的にｎＬ−範囲で、例えば≦５,０００ｎＬ、例えば≦１,０００ｎＬもしくは≦５００ｎＬもしくは≦１００ｎＬもしくは≦５０ｎＬもしくは≦２５ｎＬである。
【００１９】
反応キャビティは典型的には、１〜１００,０００μｍの範囲内、例えば≧１０μｍもしくは≧５０μｍもしくは≧１００μｍもしくは≧４００μｍ、および／または≦５０,０００μｍもしくは≦１０,０００μｍもしくは≦５,０００μｍもしくは≦２５００μｍもしくは≦１,０００μｍである長さを有する。
【００２０】
固相は、多孔性床、即ち、多孔性のモノリス床または多孔性もしくは非多孔性であり得る充填された粒子の床、の形態であり得る。これに代えて、固相は、反応キャビティの内部壁であり得る。モノリス床は、多孔性の膜もしくは多孔性のプラグの形態であり得る。
用語“多孔性の粒子”は、ＷＯ  ０２０７５３１２(Gyros AB)の中と同一の意味を有する。
【００２１】
適当な粒子は、球形もしくは回転楕円形(ビーズ状)、または非球形である。粒子のための適切な平均直径は、典型的に１〜１００μｍの範囲で見出され、好ましくは≧５μｍ、例えば≧１０μｍもしくは≧１５μｍおよび／もしくは≦５０μｍの平均直径である。また、更に小さい粒子、例えば、０.１μｍ以下の平均直径を持つ粒子を使用することができる。直径とは、“流体力学的”直径を指す。使用されるべき粒子は、ＷＯ  ０２０７５３１２(Gyros AB)と同一の意味で、単分散(モノサイズ)であっても多分散(ポリサイズ)であってもよい。
【００２２】
固相の基礎物質は、無機および／もしくは有機物質から作られ得る。典型的な無機物質はガラスを含む。典型的な有機物質は有機高分子を含む。高分子物質は、ガラスおよびシリコンゴムのような無機高分子、ならびに合成のもしくは生物学的な起源(生体高分子)の有機高分子を含む。用語“生体高分子”は、天然の生体高分子に由来する高分子のバックボーンがある半合成高分子を含む。適切な合成有機高分子は、典型的に架橋されていて、重合可能な炭素−炭素二重結合を含んでいるモノマーの重合によりしばしば得られている。適当なモノマーの例は、アクリル酸ヒドロキシアルキル、例えば、アクリル酸２−ヒドロキシエチルのようなアクリル酸２−ヒドロキシアルキル、ならびに相当するメタクリル酸エステル、アクリルアミドおよびメタクリルアミド、ビニルおよびスチリルエーテル、アルケン置換ポリヒドロキシ高分子、スチレン等である。典型的な生体高分子は大抵の場合には、炭水化物構造、例えばアガロース、デキストラン、でん粉等を示す。
【００２３】
多孔性床の文脈における用語“親水性”は、床の一つの末端が過剰の水と接触するときに(吸収)、床全体にわたって毛管力により水が広がるのに十分な細孔の表面の濡れ可能性を意味する。この表現はまた、工程(ii)の間に水性の液体媒体と接触する床の内部表面は、それぞれが、例えば、酸素および窒素の中で選択されるヘテロ原子を有する、複数の極性の官能基を露出すべきであることを意味する。適切な官能基を、ヒドロキシ基、エチレンオキシド基(−Ｘ−[ＣＨ２ＣＨ２Ｏ−]ｎ)[式中、ｎは＞１の整数で、Ｘは窒素もしくは酸素である]、アミノ基、アミド基、エステル基、カルボキシ基、スルホン基等の中で選択することができる。粒子形態にある固相の物質については、これは、粒子の少なくとも外部表面が極性の官能基を提示すべきであることを意味する。同様の物質、濡れ可能性、官能基等はまた、内部壁の形態にある固相に適用される。
【００２４】
固相の上のＢＳ(抗体アナライトに対する抗原)の密度の低下は、典型的に、固相の上のＢＳおよび分析的に検出可能な反応物(親和性反応物２)の上のＢＳの間にアナライトがブリッジングする可能性を増加して、かくしてまたアッセイの良好な性能の可能性を増加するであろう。ＢＳ間の距離が固相の中で十分に大きければ、さらなる低下による、ブリッジングに対する作用は微小であるようである。固相の上のＢＳの総量は、アナライトの量に比較してモル過剰が典型的である。
【００２５】
固相の上のＢＳおよび固相を通過すべき試料の中のアナライトの量の間のモル比は、≧２、例えば≧５もしくは≧２５もしくは≧５０もしくは≧１００もしくは≧１,０００もしくは≧１０,０００もしくは≧１００,０００であり得る。アナライトが固相の上のＢＳに対する親和性の点で異なる抗体の副集団を含みそして親和性範囲の下限で副集団を捕捉することを選択的に避けたいとしている、本発明の態様では、固相に結合するＢＳの僅かな過剰および不十分な量であってさえ、使用する利点があり得る。換言すれば、固相の上のＢＳの量およびアナライトの量の間のモル比は、態様に依存して、≦１００,０００、例えば≦１０,０００もしくは≦１,０００もしくは≦５００もしくは≦１００もしくは≦５０もしくは２５≦もしくは≦１０もしくは≦５もしくは≦２もしくは≦１もしくは≦０.８もしくは≦０.５であり得る。
【００２６】
本発明の方法の良好な性能を得るために、それぞれの特定のアナライトについて、作業結合能力、ＢＳの密度、固相の種類等を決定するために、典型的に、実験的試験が必要である。
【００２７】
親和性反応物１および／もしくは２、特にそれらのＢＳ部分、ならびにアナライトは、
ａ)ポリおよびオリゴペプチド構造のようなペプチド構造のようなタンパク質構造を含んで、それらの構造の模倣体および化学的に修飾した形態等を含んでいる、アミノ酸構造；
ｂ)それらの構造の模倣体および化学的に修飾した形態、等を含んでいる炭水化物構造；
ｃ)核酸構造、ならびにそれらのヌクレオチド構造の模倣体および化学的に修飾した形態、等を含んでいるヌクレオチド構造；
ｄ)ステロイド構造、トリグリセリド構造、等のような、ならびにそれらの構造の模倣体および化学的に修飾した形態を含んでいる脂質構造；
ｅ)有機のもしくは生体有機の性質の他の構造
を示し得る。
多数の他の構造および物質がまた、使用される親和性反応物の中に、例えばそれらのＢＳ部分の中に、存在し得る。そのような他の構造および物質を、感染物(細菌、藻類、菌類、ウイルス、プリオン、カビ、寄生虫等)、薬物、自動抗原、アレルゲン、診断目的のためにまたは抗原特異的抗体試薬もしくは薬物の製造のために体液の免疫応答を誘発する能力がある、合成もしくは天然の免疫原のハプテンの／抗原の構造をもって例示することができる。
【００２８】
固相の上に、ＢＳを導入するための技術は、典型的に、二つの主要な経路：
ａ)ＢＳを含む親和性反応物１の固相への固定化、および
ｂ)固相の上に段階的に親和性反応物１の構築(ＢＳを示す固定化反応物の固相合成)
の一つもしくは両方にしたがう。
両方の経路は、当分野で普通に公知である。固相物質への結合は、共有結合、親和性結合(例えば生体特異的親和性結合)、物理的吸着、静電気結合等を介し得る。
【００２９】
選択肢ａ)は典型的には、本発明の方法の加工の間の望ましくない切断に耐える結合を形成するために、お互いに相互的に反応性である、二つの反応性構造(ＲＳｓｐおよびＲＳａｒｌ)の固定ペアを使用する。ＲＳｓｐは、工程(i)の前に固相物質の上に予め導入されるかもしくは固相物質の上に生来存在する。ＲＳａｒｌは、親和性反応物１の上に存在する。固定結合の形成は、工程(i)の前もしくは間のいずれかで行われる。
【００３０】
共有固定化は、ＲＳｓｐのＲＳａｒｌとの反応から生じる結合が、親和性反応物１をそしてかくして親和性反応物１のＢＳを固相に結合させた共有結合の形成に至ることを意味する。親和性反応物１のＲＳａｒｌ基は、典型的に、求電子性基および求核性基の中で選択される。使用され得る基の例は、アミノ基および置換のもしくは未置換の−ＮＨ２を含んでいる他の基、カルボキシ基(−ＣＯＯＨ／−ＣＯＯ−)、ヒドロキシ基、チオール基、ジスルフィド基、カルボニル基(ケト、アルデヒド)、炭素−炭素二重結合および三重結合を含有する基、ハロアルキル基、特にそのような基の反応性形(活性化形)、例えば、反応性エステル、反応性アミドもしくはイミド、一つもしくはそれ以上のカルボニルが直接結合したアルケンおよびアルキン基(α−β不飽和カルボニル)、カルボニル基が直接結合したハロアルキル(α−ハロカルボニル)等である。フリーラジカル反応がまた、結合構造ＢＳの固相の上への共有結合導入のために使用され得る。
【００３１】
親和性結合を介する固定化は、メンバー(固定化リガンド、Ｌ＝ＲＳｓｐ)の一つが固相物質にしっかりと結合した固定親和性ペアを利用し得る。他のメンバー(固定結合要素、Ｂ＝ＲＳａｒｉ)が、結合要素ＢおよびＢＳ(抗体アナライトに対する抗原／ハプテンに等しい)を含んでいるコンジュゲート(固定コンジュゲート)として使用される。ペアは、典型的に、それが固定化されるべき親和性反応物の親和性反応と干渉しないように選択されて、かくしてそれが非干渉性である、一連の親和性反応物の固定化に有用であり得る。換言すれば、結合要素Ｂおよび親和性リガンドＬは両方とも一般的である。固定親和性ペアの例は、ａ)ストレプトアビジン、アビジン、ニュートラビジン、抗−ビオチン抗体等のようなビオチンに結合する化合物およびビオチン、ｂ)抗−ハプテン抗体および相当するハプテンもしくは抗原、ｃ)ＩＭＡＣ基(固定化金属親和性キレート)ならびにヒスチジルおよび／もしくはシステイニルおよび／もしくはリン酸化アミノ酸残基を含んでいるアミノ酸配列(即ち、ＩＭＡＣモチーフ)、ｄ)抗−種特異的抗体および相当する種からのＩｇ類、ｅ)クラス／サブクラス−特異的抗体および相当するクラスからのＩｇ類、ｆ)Ｉｇ類および細菌に由来するＩｇを結合するタンパク質(もしくはその逆)等である。相当する未反応の親和性反応物と同一のカウンターパートに親和性を提示するフラグメントもしくは誘導体は、そのペアと同一のペアの一員である、即ち、免疫グロブリンについては、フラグメントは、種にもしくはクラス／サブクラスに特異的なＩｇ部分を含み得る。Ｉｇは、哺乳動物の免疫グロブリンならびに他の動物の相当するタンパク質を意味する。
【００３２】
用語“コンジュゲート”とは主として共有結合コンジュゲートを指し、例えば化学結合コンジュゲートおよび組換え的に作製したコンジュゲートを指し、そしてリンカーを介して典型的には共有結合で結合される少なくとも二つの部分を含む。組換えコンジュゲートについては、リンカーならびに少なくとも一つの部分は、ペプチド構造を有する。この用語はまた、所謂天然のコンジュゲート、即ち、お互いに離れて間隔を空けて、親和性を二つの異なる分子要素に向かって指向している、二つの結合部位をそれぞれが示す親和性反応物、を含んでいる。かくして、天然のコンジュゲートは、異なる物理的に離れた抗原の決定因子を有する抗原、分子の一つの部分に種におよび／もしくはクラスに特異的な決定因子を、ならびに他の部分に抗原／ハプテン結合部位を含む抗体を含んでいる。
【００３３】
好ましい固定親和性ペア(ＬおよびＢ)は、典型的には、ストレプトアビジンおよびビオチンについての相当する親和性定数とせいぜい同一であるか、または後者の親和性定数より≦１０１倍もしくは≦１０２倍もしくは≦１０３倍大きい親和性定数(ＫＬ〜Ｂ＝[Ｌ][Ｂ]／[Ｌ〜Ｂ])を有する。これは典型的には、それぞれ、およそ≦１０−１３モル／Ｌ、≦１０−１２モル／Ｌ、≦１０−１１モル／Ｌおよび≦１０−１０モル／Ｌ、である親和性定数を意味するであろう。ビオチン結合化合物およびストレプトアビジン結合化合物(またはその逆)の中で、ＬならびにＢをそれぞれ選択することが望ましい。これらの親和性定数の範囲とは、Biacore (Uppsala, Sweden)からの生体センサー(表面プラスモン共鳴)により、即ち、デキストランで被膜した金の表面に固定化したリガンドＬで、得られる値を指す。
【００３４】
ＲＳａｒｌに対する固相の結合能力を、固定化により引き起こされる結合部位の妨害および破壊を無視して、モル／単位容積でのＲＳｓｐの量として測定することができる。この測定でもって、適当な結合能力は、典型的に、０.００１〜３０００ｐｍｏｌｅの、例えば０.０１〜３００ｐｍｏｌｅの範囲内(液体で飽和された床の形態にある固相のｎＬにより割り算された)に見出される。例えば、もしもｎＬ当り０.１ｐｍｏｌｅのストレプトアビジンが固定化されたならば、これは０.４ｐｍｏｌｅ／ｎＬのビオチン結合部位に相当する。換算係数の四は、ストレプトアビジンがストレプトアビジン分子当りビオチンに対して四つの結合部位を有するからである。
【００３５】
また、結合能力を、ＲＳａｒｌに対する実際の結合能力、即ち、ＲＳｓｐ(床の形態および水のような液体で飽和された)を含有する固相の、単位容積当りのモル活性ＲＳａｒｉ構造として測定することができる。この種類の結合能力は、固定化技術、固相の細孔サイズ、固定化されるべき要素のサイズ、固相の物質およびデザイン等に依存するであろう。理想的には、結合部位(上記で定義)の総数と同様の範囲が、実際の結合能力に適用される。
【００３６】
実際の結合能力の測定を、当分野で周知の原理にしたがって行うことができる。これは典型的には、固相のＲＳｓｐがＲＳａｒｉを含有している過剰の試薬で飽和され、その後でＲＳｓｐに結合された量を、例えば固相の上で直接にもしくは溶離後に、測定することを意味する。測定を容易にするために、例えば、ＲＳａｒｉを含有している標識された試薬および標識されていない試薬の混合物の使用により、試薬の標識形態を使用してもよい。
【００３７】
親和性ペアを固定化する場合には、実際の結合能力は主として、結合要素Ｂの基本形、例えば、コンジュゲート形成していないおよび／もしくは誘導体化されていない形態における結合／捕捉を指す。
固相が反応マイクロキャビティの内壁である場合には、固相の容積は、反応マイクロキャビティの容積とみなされる。
【００３８】
特別なアッセイに対する(ＲＳａｒｌに対する)結合能力の最適な範囲は、数多くの要素、例えば、溶質および／もしくはアナライトの種類、ならびに／または、溶質／アナライトが測定される濃度範囲、使用される固定親和性ペアのような固定ペア、固相の種類、例えば、多孔性およびその基礎物質、もしも固定親和性ペアが使用されるならば、コンジュゲートのサイズ、等に依存する。試行錯誤による試験は、この時点で特定のアッセイに関して結合能力を最適化する最も安全な方法である。
【００３９】
反応性の構造ＲＳｓｐおよび／もしくはＢＳを、固相を流路の反応キャビティの中に置いた場合は固相上に、または固相を流路の外に置いた場合は、バッチモードで、導入し得る。ＲＳｓｐ固相物質の一部は、バッチモードでのＲＳｓｐの導入の後、流路の反応キャビティに輸送され、ここで、それはさらに変換されて、ＢＳを示し得る。後者の変換はまた、流路の外でバッチモードで起こり得る。これに代えて、両方の工程は、固相を流路の反応キャビティの中に置く間に行われる。流動方向にＢＳの均一な分布もしくは固相の上流部分に少なくとも十分に過剰のＢＳを有することは重要であり得る。適切な分布を、両方の工程をバッチモードで実施し、続けて流路に固相の一部を輸送することにより、達成することができる。
【００４０】
固相の上のＢＳの密度および量を、親和性反応物１のＲＳｓｐを含有する固相の活性化形への固定化を、競争モードのような、阻害モードで行うことにより制御様式で容易に代えることができる。換言すれば、ＲＳａｒｌを提示している形態の親和性反応物１およびＲＳｓｐと反応性である構造ＲＳｎｓを示すナンセンス反応物を含有している液体試料とＲＳｓｐの固相を接触して、上記の種類の結合を与える。両方の反応物もしくは反応物の総量は、典型的に、ＲＳｓｐ基の量に比較して過剰にあるべきである。次いで、最終の固相の中のＢＳの実際の密度を、親和性反応物１およびナンセンス反応物についての固定化反応の速度の間の関係により決定するであろう。この方式では、望ましいＢＳの量および密度に関して広い範囲で異なる反応キャビティを顧客がデザインすることが簡単であるであろう。ＢＳの阻害導入を、バッチモードでもしくは反応キャビティの中のＲＳｓｐの固相で流動条件下の反応で行い得る。実験の部で示されるように、これは、与えられたＢＳに対する親和性の点で異なるアナライトの副集団の定量化のための、固相の構築およびデザインを簡単にするであろう。
【００４１】
別の態様では、ナンセンス反応物を、親和性反応物１が固定化される前にもしくは後で固相と反応する。この態様では、ＲＳｓｐの少なくとも一部が第一工程の後で残存することを確保することが重要である。
【００４２】
ある特定の態様では、親和性反応物１を含んでいて、固相の上にＢＳ構造を導入するために使用される液体試料はまた、一つもしくはそれ以上の更に別な親和性反応物を含有し、それぞれは、ａ)ＲＳａｒｉについて上で記載したＲＳｓｐと反応し得る反応性構造ＲＳ、およびｂ)上で記載されたタイプの他の少なくとも二価のアナライトに対する親和性を有している。換言すれば、液体試料は、第一のアナライトに対する特異性を持つ親和性反応物１２、第二のアナライトに対する特異性を持つ親和性反応物１２、第三のアナライトに対する特異性を持つ親和性反応物１３等を含有する。これらの態様では、最終の固相は、複数の親和性反応物を含有して、同一の液体試料の中で二つもしくはそれ以上のアナライトをアッセイする(多重化)のに有用であるであろう。それぞれのアナライトは、それ自身のユニークな結合構造ＢＳ(２１、２２、２３等)を持つそれ自身の検出可能な親和性反応物２を必要とするであろう。
【００４３】
ＢＳの導入に使用されない反応性構造ＲＳｓｐを中和するために無関係な反応物が使用される場合には、工程(ii)で使用される最終の固相は、固相の上にＢＳ(親和性反応物１)の導入のために利用されなかったＲＳｓｐから誘導される構造を含有するであろう。これらの固相は、本出願と平行して出願された我々の同時係属国際出願の中に記述される、別の発明“発明の別の態様”の一部である。
固定親和性ペアは、ＲＳｓｐおよびＲＳａｒｉとして好まれている。
【００４４】
工程(ii)：流動条件および捕捉
工程(ii)における用語“流動条件”は、アナライトが存在する液体が、反応キャビティ／固相を通って、アナライトおよび固相のＢＳの間で親和性複合体が形成される間、連続して流動していながら、抗−ＢＳ抗体アナライトのようなアナライトが固相の上のＢＳに提示されることを意味する。使用される流動速度は、好ましくは、親和性反応のために非拡散制限条件を提供し得るものであるが、拡散制限条件も使用し得る。非拡散制限条件を提供している流動速度は、それらが、たとえアナライトの微小フラクションがＢＳ構造を露出している固相の更に下流区分に存在し得るとしても、固相の上流区分で捕捉されたアナライトの富化(ピーク)をもたらすことを特徴とする。そのようなピークで捕捉される抗−ＢＳ抗体アナライトの副集団のようなアナライトの副集団は、典型的に、ピークの下流で捕捉されるもしくは捕捉されることなく、固相を通過した抗−ＢＳ抗体アナライトの副集団よりも高い親和性を持っている。
【００４５】
多孔性の床を通る適切な流動速度は、数多くの因子：
ａ)固定化親和性反応物１；
ｂ)アナライトの種類、例えば、種の起源、Ｉｇ−クラスおよび／もしくはサブクラス、対象のアナライトの親和性定数を含んでいる抗体アナライトの種類；
ｃ)反応キャビティの寸法(容積、長さ等)；
ｄ)固相の種類(固相の物質、多孔度、床もしくは被膜された内壁等)；ならびに
ｅ)等
に依存する。
典型的には、流動速度は、液体試料１、即ち、アナライトを含んでいて、反応キャビティを通って通過している液体のアリコートについて、≧０.０１０秒の、例えば≧０.０５０秒もしくは≧０.１秒の滞留時間を与えなければならない。滞留時間の上限は、典型的に２時間以下であり、例えば１時間以下である。例示的な流動速度は、０.００１〜１００００ｎＬ／秒内、例えば０.０１〜１０００ｎＬ／秒もしくは０.０１〜１００ｎＬ／秒もしくは０.１〜１０ｎＬ／秒である。これらの流動速度の範囲は、１〜１０００ｎＬの、例えば１〜２００ｎＬもしくは１〜５０ｎＬもしくは１〜２５ｎＬの範囲にある固相の容積に主として有用であり得る。滞留時間とは、液体のアリコートが反応キャビティの中の固相を通過するのにかかる時間を指す。最適化は、典型的には、それぞれの特定の系について実験による試験を必要とするであろう。
【００４６】
上で定義した流動条件はまた、好ましくは、固相への他の親和性反応物、例えば親和性反応物２(工程(Ｕｉ))の捕捉の間に適用される。親和性が高いアナライトの副集団の選択的な測定に望ましい流動条件とするための同様の一般的な傾向は、また、工程(iii)の一部として起こるときに、固相への親和性反応物２の捕捉について適用されるようである。
親和性が高いアナライトの副集団の選択的な決定に望ましい流動条件は、本明細書中で下で更に記載される。ＷＯ  ０２０７５３１２(Gyros AB)をまた参照されたい。
【００４７】
固相を通る液体流動を、原理的には任意の種類の力、例えば、これに適合させた微小流体装置の中の流動経路について、例えば動電子的もしくは非動電子的に生じる力、好ましくは場合により毛管力と組み合わされた遠心力により駆動することができる。さらに下を参照されたい。
【００４８】
工程(iii)：工程(ii)の結果の測定
この工程は、工程(ii)の間に固相の上でＢＳに結合した抗−ＢＳ抗体アナライトの量の測定を意味して、固相の流動方向におけるアナライトの分布の測定を含み得る。測定は、ＢＳを示してそれ故に工程(ii)で形成される固定化複合体に組み込まれ得る親和性反応物２の使用により達成される。
【００４９】
分析的に検出可能な親和性反応物２は、検出可能な基がある一つの部分１、ならびに、アナライトのＢＳ結合部位の一つに親和性結合し得るＢＳがある、もう一つの部分２を含む。かくして、親和性反応物２は、部分１および部分２が、好ましくは共有結合により、お互いにしっかりと結合したコンジュゲートである。このコンジュゲートは、天然でもしくは合成であり得る。合成のコンジュゲートについては、検出可能な基は、“標識”もしくは“タグ”と呼ばれるであろう。
【００５０】
親和性反応物２の結合は、ａ)工程(ii)の前にもしくは工程(iii)の間の何れかで起こり得る。親和性反応物２への結合のために利用される、アナライト上のＢＳ結合部位は、固相上でＢＳに結合するために利用されない。
【００５１】
選択肢の(ａ)は、アナライトおよび親和性反応物２を含む予め生成した親和性複合体として、アナライトが工程(ii)で反応キャビティの中に入っていくことを意味し、ここで、反応物２のＢＳは、アナライトのＢＳ結合部位に結合して、固相の上でＢＳにより親和性捕捉する(固定化親和性反応物１を介して)ために利用されるアナライトの上で少なくとも一つのＢＳ結合部位を残している。予め生成した親和性複合体は、反応キャビティの上流の位置で流動経路の外側でもしくは流動経路内で創成され得る。この予め生成する条件は、予め生成した複合体の量が元の試料の中の抗−ＢＳ抗体アナライトの実際の量に関連するようになるように、選択される。試料１が反応キャビティを通って通過しているときには、固相の上のＢＳが予め生成した親和性複合体を捕捉する。かくして、生じた固定化複合体は、アナライト、親和性反応物２および親和性反応物１を含む。
【００５２】
選択肢の(ｂ)は、反応キャビティの上流の位置で別の液体試料２の中に親和性反応物２が提供されることを意味する。この試料２は、試料１に続いて反応キャビティを通って通過する。試料１および試料２の間には一つもしくはそれ以上の洗浄工程があってもよい。工程(ii)の後でアナライトの上に塞がれないままであるＢＳ結合部位は、次いで、親和性反応物２を捕捉するであろう。３次の固定化複合体は、原理的には選択肢の(ａ)におけるのと同一の種類であろう。
【００５３】
親和性反応物２の部分２の検出可能性は、部分が分析的に検出されて、定量化され得る基を含む事実に帰する。信号発生基および親和性基は、有用な検出可能な基の典型的な例である。信号発生基は、放射線放射もしくは放射線吸収基および与えられた放射線と他の方法で干渉する基の中で選択され得る。特定の信号発生基は、酵素、補因子、基質、補酵素等を含む酵素的に活性な基；放射性もしくは非放射性同位元素のような特定の同位元素を含んでいる基；蛍光性および蛍光発生基；化学発光性基、生体発光性基等を含む発光性基；金属イオンを含む金属含有基等である。この文脈において、親和性基は、典型的に、検出可能な親和性基に対する親和性カウンターパートと、親和性反応物２の検出可能な基とは異なる第二の検出可能な基との間の複合体であって、典型的に標識の形態で好ましくは信号発生基である親和性反応物３の使用により検出される。検出可能な基に基づく典型的な親和性は、検出可能な基に基づく親和性が、固定結合ペアの一員へ、もしもそのようなペアがＢＳの固相への固定化に使用されるならば、方法の間は親和性結合をする能力があってはならないという条件で、上で議論された固定親和性ペアの個別なメンバーの中で選択され得る。
【００５４】
他の態様では、親和性反応物２は、固相の上に形成される親和性複合体に反応物が加わる容積もしくは質量の増加に因り検出可能である。換言すれば、反応物はそれ自体で、検出可能な基を定義する。例えば、ＷＯ  ０３１０２５５９(Gyros AB)を参照されたい。
【００５５】
検出可能な基および測定の方法がそのようにデザインされた場合には、実際の測定を反応キャビティの中で行うことができる。これは、反応キャビティ／固相の中で流動方向に沿うアナライトの分布を、アナライトおよび固相に予め固定化されたＢＳの間で親和性を測定するために使用する場合に、特に重要である。例えば、ＷＯ  ０２０７５３１２(Gyros AB)およびＰＣＴ／ＳＥ２００５／００１  １５３(Gyros AB)を参照されたい。もしも固相に捕捉されるアナライトの量のみが望まれるならば、実際の測定は、反応キャビティの下流で、例えば、別の検出キャビティの中で、行ってもよい。これは、反応キャビティを通って通過する過剰の親和性反応物２のもしくは工程(ii)で固相の上に形成される複合体から生成される可溶性のかつ検出可能な要素の測定を含んでもよい。親和性反応物１は、切断可能な結合により固相に、例えば、固定化され得る。選択肢として、使用される分析的に検出可能な反応物、例えば親和性反応物２、の中の分析的に検出可能な基は、切断され得るリンカーにより検出可能な反応物の他の部分に結合され得る。例えば、ＵＳ  ４,２３１,９９９(Pharmacia Diagnostics AB)を参照されたい。複合体の形成および次の洗浄の後で、必要ならば、切断され得るリンカー／結合を分解して、検出可能な基を含んでいる放出されたフラグメントをそれらが測定される、検出キャビティの下流に輸送する。もう一つの選択肢は、検出可能な基が、測定のために下流に輸送され得る可溶性生成物を生じさせる反応系の中で反応物であることである。最後の選択肢を可能にしている適当な反応系は、酵素系を含んでいる生体触媒系のような、触媒系を含み、その場合には、検出可能な基は、触媒、補触媒、補因子、基質、補基質、阻害剤、エフェクター等のような系の成分であり得る。酵素系については、関連する成分は、酵素、補酵素、補因子、基質、補基質、阻害剤、活性化因子、エフェクター等である。
【００５６】
親和性複合体の中に組み込まれる検出可能な親和性反応物の上の信号発生基は、第二の信号発生基と組み合わせられ得る。この第二の基は、複合体が形成されるかもしくは解離されるときに、二つの基が一緒に、適切な信号を与えるように選択され得る。この態様は、トリチウムで標識される可溶性の親和性反応物(例えば親和性反応物２)が、シンチレーション物質を含んでいる固相と一緒に使用される、シンチレーション近接アッセイ(ＳＰＡ)で例示され得る。相互作用している標識での原理はまた、同一であっても異なっていてもよい、フルオロフォアのペアおよび蛍光−失活剤ペアで例示され得る。
【００５７】
なおもう一つの態様では、親和性反応物２がアナライトを介して固相に結合するときに、信号が変化する信号発生基と固定化ＢＳが関係している。
【００５８】
得られる信号データの測定および処理は、好ましくは、ＷＯ  ０３０２５５４８、ＵＳ  ２００３０１５６７６３、ＷＯ  ０３０５６５１７、ＵＳ  ＳＮ  １０／３３１，３９９、ＷＯ  ０５００１７６６(全てGyros AB)に記載された通りに行われる。
【００５９】
分布は、固相の上のセクション(上流セクション)(例えば抗原を含んでいる固相の入口末端の次の)において、例えば、(ａ)固相／反応キャビティの長さ、もしくは(ｂ)閾値を越える信号が測定される固相／反応キャビティの部分の、≦７５％を、好ましくは≦５０％もしくは≦３０％を包含していて、捕捉されたアナライトの相対的な量として測定され得る。この相対的な量は、“ピーク”と呼ばれ得る。分布の測定は、体液の免疫応答の抗体アナライトのような、抗体アナライトについては特に興味深い。
【００６０】
工程(iv)：定量化
この工程は、工程(iii)で見出される測定値を、試料１が由来する元の試料の中のアナライトの量および／もしくは試料１の中のアナライトの量に関連付けることを含む。これは、典型的に、一つもしくはそれ以上の標準試料について得られた値と比較することにより既知の原理にしたがってなされる。典型的には、標準試料は，ａ)変動する既知量のアナライトを含有する一連の一つ、二つもしくはそれ以上の試料、ｂ)例えば、同一のまたは異なる個人からの初期の場合に得られた一つもしくはそれ以上の試料、ｃ)健康な個人からもしくは特定の疾患状態を有する個人から得られた一つもしくはそれ以上の試料等を含む。定量化は典型的に絶対的である。それはまた相対的であってもよく、例えば、試料１のもしくは元の試料の或る種類の成分に対して相対的であってもよく、また初期のもしくは後期の場合におよび／または同一のもしくは別の個人から採取したもう一つの試料に対して相対的であってもよい。
【００６１】
ポリクローナル抗体アナライトのような、或る特定のアナライトは典型的には、同一の結合構造に向かって指向されるが異なる親和性を持つアナライトの副集団のスペクトルを含有する。工程(ii)の間に、低親和性のアナライトの副集団は、結合することなく、固相から流れ出る傾向を有するであろう。これは、もしも固相の上のＢＳ(＝抗原)の量が、三つの異なる抗−ＩｇＧモノクローナルでの我々の結果(実験の部を参照)によりおよび本明細書の他の場所で提案されるように選択されているならば、達成され得る。アナライトの総量に比して、親和性が高いおよび／もしくは低いアナライトの副集団の量を知ることは、時々興味があり得る。これは典型的には、アナライトの総量のもしくはアナライトの少なくとも更に大きいフラクションの評価を必要とする。後者の態様は、親和性の捕捉工程(ii)の間に更に低い流動速度で、および／もしくはアナライトを結合する能力を増加させた固相で、工程(i)〜(iv)を繰り返すことにより達成され得る。あるいは、アナライトについての従来の親和性アッセイを、捕捉反応を平衡に至らしめる間に、静的条件下に実施し得る。より遅い流動速度により、より低い親和性のアナライトの副集団を捕捉するチャンスが増加するであろう、即ち、流動速度が減少すれば、ピークはより明瞭になるであろう。静的条件を持つ選択肢は、親和性が低いおよび高いアナライトの両方の副集団を測定するであろう。両方の選択肢では、結果は、試料の中の親和性が低いおよび高いアナライトの副集団のレベルの公正な評価を可能にするであろう。
【００６２】
その他
本発明の方法は、ヒトを含んでいる動物の種々の医学状態の診断に有益であるようである。例えばポリクローナル抗−ＢＳ抗体アナライトの、選択的に親和性が高い抗−ＢＳ抗体副集団を測定するような、親和性が低いアナライトの副集団の測定を除外する方法の態様は、明らかに改善が見られる。興味ある疾患は、自己免疫疾患、寄生虫による感染症、細菌、ウイルス、菌類、カビによる感染を含んでいる感染疾患、および抗原特異的抗体アッセイが個人の臨床診断に使用され得る他の疾患である。抗−ＢＳ抗体もしくは親和性が高い抗体として分類される抗−ＢＳ抗体のいずれかの総量を測定して、疾患それ自体または疾患の重篤度の指標として使用する。好ましくは明瞭なピークの形での、入口末端(上のセクション)に向かう捕捉抗体の分布は、次いで、親和性が高い抗−ＢＳ抗体のより高いレベルおよび／もしくはより高い親和性を指し示しているであろう。記された疾患の多くについて、これは更に正確な診断、ならびに／または疾患の重篤度および／もしくは状態を指し示しているであろう。それ故に、例えば上記の幅および高さの観点から、より明瞭なピークは、より大きい診断的価値を指し示しているように見える。これは、固相の出口末端(下のセクション)に向かう分布も有用であることを除外しない。それは、或る特定の疾患状態が重篤ではないかもしくはかかりやすくないであろうことを指し示している負のマーカーとして、少なくとも有益であり得る。
【００６３】
臨床診断アッセイのためには、本発明の方法は、少なくとも親和性が高い抗体副集団を測定することを目的とする態様に関して、潜在的に、改良された診断的特異性を示唆するであろう。拡散制限条件下で同様のアッセイを実施することに比較して、≧１.１の、例えば≧１.５もしくはさらにそれ以上の、例えば≧２.０の改良率を想定することができる。この文脈において、拡散制限条件とは典型的には、捕捉工程で平衡に達するのに十分な時間、静的条件(非流動条件)とすることを指し、ここで、その捕捉工程では、分析的に検出可能な親和性反応物２を捕捉されたアナライトへ結合させる(上の工程(iii)での流動することに相当する)ために、場合により静的条件と組み合わせて、アナライトが固相の上のＢＳに結合する(上の工程(ii)での流動することに相当する)。
【００６４】
試料
流動経路の中で輸送されて加工される液体試料／液体アリコートは、典型的に、希釈剤、洗浄液ならびに／または使用されるアナライトおよび／もしくは試薬(例えば親和性反応物２)のような反応物を含んでいる液体を含んでいる、水性のものである。アナライトを含有する液体試料１は、未加工の生物学的流体試料であり得るかもしくはそのような流体に由来し得る。液体試料１を得るための加工は、流動経路内でおよび／もしくは外で起こり得る。この加工は、ａ)元のアナライトをそれが液体試料の中で存在するようにアナライトの形態に変換すること、ｂ)希釈すること、ｃ)細胞および／もしくは他の粒子状物質の除去等を含み得る。もしも特定の文脈により別に暗示されない限り、本明細書で用語“アナライト”は、元のアナライトならびに、変換されたアナライトの量が、元の試料中の元のアナライトの量の関数である限り、その任意の変換された形態を意図する。
【００６５】
用語“生物学的流体”は、親和性反応物１および２について上で指示された種類の構造を示す生体有機化合物を含有する任意の流体を意図する。更に狭い意味では、同一の用語は、この種類の生体有機化合物を含有して、その成分が生きているかもしくは死んだ生物学的物質により少なくとも部分的に測定された流体に由来する流体を意図する。典型的な生物学的流体には、細胞培養液上清、組織ホモジネート、血液および血清もしくは血漿のような種々な血液のフラクション、涙流体、吐瀉液、尿、汗、精液、脳脊髄液、胃液、唾、リンパ液、等ならびに上記の生体有機化合物を含有しそしてこれらの特定の生物学的流体に由来している種々の液体調製物が含まれる。抗体アナライトについては、液体試料１は典型的には、脊椎動物で誘発される体液の免疫応答の抗体を含有する上記の種類の脊椎動物の体液に由来する。典型的な脊椎動物は、哺乳動物、鳥類、両棲類、爬虫類等である。典型的な哺乳動物は、クジラ、ヒト、マウス、ラット、モルモット、ウマ、ウシ、ブタ、イヌ、ネコ等である。典型的な鳥類は、メンドリ、カナリア、セキセイインコ等である。両棲類および爬虫類の中には、ペットとして使用されるかもしくは動物園で人気のあるものが記述され得る。
【００６６】
好ましい流動経路(微小流体装置の中のLe.)
微小流体装置は、一つ、二つもしくはそれ以上のマイクロチャネル構造(１０１ａ〜ｈ)を含む装置であって、該構造においては、一つもしくはそれ以上の液体アリコート／試料、例えば、μＬ−範囲の、典型的にはナノリットル(ｎＬ)範囲の容積を有し、かつ、アナライトおよび試薬、生成物、試料、緩衝剤等のような種々の種類の反応物を含む液体試料１ならびに／もしくは２、が加工される。それぞれのマイクロチャネル構造(１０１ａ〜ｈ)は、微小流体装置内で実施されるべき該革新的アッセイの工程を実施するために必要である全ての機能性部分を含む。μＬ−範囲は、≦１,０００μＬの、例えば≦１００μＬもしくは≦１０μＬの容積を意図して、５,０００ｎＬの上限を有するが、大抵の場合には、≦１０００ｎＬの、例えば≦５００ｎＬもしくは≦１００ｎＬの容積に関するｎＬ−範囲を含む。ｎＬ−範囲は、ピコリットル(ｐｌ)範囲を含む。マイクロチャネル構造は、≦１０３μｍ、好ましくは、≦５×１０２μｍ、例えば≦１０２μｍである断面積を有する一つもしくはそれ以上のキャビティならびに／または導管を含む。
【００６７】
かくして、微小流体装置のマイクロチャネル構造(１０１ａ〜ｈ)は、ａ)例えば、場合により容積計量ユニット(１０６ａ〜ｈ、１０８ａ〜ｈ)(装置内で加工されるべき液体アリコートを計量するための)と一緒に入口ポート／入口開口部(１０５ａ〜ｂ、１０７ａ〜ｈ)を含んでいる入口装備(inlet arrangement)(１０２、１０３ａ〜ｈ)、ｂ)液体輸送用のマイクロ導管、ｃ)反応マイクロキャビティ(１０４ａ〜ｈ)；ｄ)混合マイクロキャビティ／ユニット；ｅ)液体(入口装備の中に存在し得る)から粒子状物質を分離するためのユニット、ｆ)例えば、キャピラリー電気泳動、クロマトグラフィー等により、試料の中で溶解されたかもしくは懸濁された成分をお互いから分離するためのユニット；ｇ)検出マイクロキャビティ；ｈ)廃棄導管／マイクロキャビティ(１１２、Ｈ５ａ〜ｈ)；ｉ)バルブ(１０９ａ〜ｈ、Ｈ０ａ〜ｈ)；ｊ)環境外気への通気口(１０６ａ〜ｉ)；液体分割(液体ルーター)等：の中で選択される一つ、二つ、三つもしくはそれ以上の機能性ユニットを含み得る。機能性ユニットは、数個の機能性を有してもよく、例えば反応マイクロキャビティ(１０４ａ〜ｈ)および検出マイクロキャビティが合致してもよい。微小流体装置の中の種々の種類の機能性ユニットは、Gyros AB/Amersham Pharmacia Biotech AB：ＷＯ  ９９０５５８２７、ＷＯ  ９９０５８２４５、ＷＯ  ０２０７４４３８、ＷＯ  ０２０７５３１２、ＷＯ  ０３０１８１９８(ＵＳ  ２００３００４４３２２)、ＷＯ  ０３０３４５９８、ＷＯ  ０５０３２９９９(ＵＳ  ＳＮ  １０／９５７,４５２)、ＷＯ  ０４１０３８９０、ＷＯ  ２００５０９４９７６により、ならびにTecan/Gamera Biosciences：ＷＯ  ０１０８７４８７、ＷＯ  ０１０８７４８６、ＷＯ  ０００７９２８５、ＷＯ  ０００７８４５５、ＷＯ  ０００６９５６０、ＷＯ  ９８００７０１９、ＷＯ  ９８０５３３１１により記述されている。
【００６８】
有利な形では、親水性の多孔性床に意図された反応マイクロキャビティ(１０４ａ〜ｈ)は、一つもしくはそれ以上の入口装備(上流方向)(１０２、１０３ａ〜ｈ)に連結されて、それらのそれぞれは、入口ポート(１０５ａ〜ｂ、１０７ａ〜ｈ)および少なくとも一つの容積計量ユニット(１０６ａ〜ｈ、１０８ａ〜ｈ)を含んでいる。入口装備(１０３ａ〜ｈ)の一つの有利な態様は、一つのマイクロチャネル構造(１０１ａ〜ｈ)および／もしくは固相物質を含有することを意図した反応マイクロキャビティ(１０４ａ〜ｈ)にのみ連結される。もう一つの有利な入口装備(１０２)は、マイクロチャネル構造(１０１ａ〜ｈ)および／もしくは固相物質を含有することを意図した反応マイクロキャビティ(１０４ａ〜ｈ)の全てまたはサブセット(１００)に共通である。この後者の態様は、共通の入口孔(１０５ａ〜ｂ)およびサブセット(１００)のマイクロチャネル構造／反応マイクロキャビティ(１０１ａ〜ｈ／１０４ａ〜ｈ)のそれぞれについて一つの容積計量ユニット(１０６ａ〜ｈ)を持つ分配多岐流路を含む。両方の態様において、容積計量ユニット(１０６ａ〜ｈ、１０８ａ〜ｈ)のそれぞれは順番に、そのマイクロチャネル構造(１０１ａ〜ｈ)の下流部分、例えば、反応マイクロキャビティ(１０４ａ〜ｈ)と通じている。共通の入口装備(１０２)および／もしくは共通の分配多岐流路により連結しているマイクロチャネル構造は、マイクロチャネル構造のグループもしくはサブセット(１００)を規定する。それぞれの容積計量ユニット(１０６ａ〜ｈ、１０８ａ〜ｈ)は典型的には、その出口末端においてバルブ(１０９ａ〜ｈ、Ｈ０ａ〜ｈ)を有する。このバルブは、例えば、親水性のおよび疎水性の表面の間の境界(疎水性表面継ぎ目)のような、出口末端における化学的な表面特性の(ＷＯ  ９９０５８２４５、ＷＯ  ２００４１０３８９０、ＷＯ  ２００４１０３８９１およびＵＳ  ＳＮ  １０／８４９,３２１ (Amersham Pharmacia Biotech AB and Gyros AB))および／もしくは幾何学的な／物理的な表面特性の(ＷＯ  ９８００７０１９(Gamera))変化を利用して、典型的に受動的である。
【００６９】
入口ポート、容積計量ユニット、分配多岐流路、バルブ等を持つ典型的な入口装備はＷＯ  ０２０７４４３８、ＷＯ  ０２０７５３１２、ＷＯ  ０２０７５７７５およびＷＯ  ０２０７５７７６(全てGyros AB)の中で提示されている。
【００７０】
本革新的方法が、アナライトと親和性反応物２の間の親和性複合体が、工程(ii)に先立ってマイクロチャネル構造内に形成されることを含む場合には、反応キャビティとアナライトを含有している液体試料および親和性反応物２を含有している液体試料のための入口(複数を含む)との間に混合機能がある。二つの液体アリコートを、別々の入口ポートを介してもしくは共通の入口ポートを介して、導入し得る。混合機能は、典型的に、
ａ)混合マイクロ導管の中で混合すること、ならびに／または
ｂ)別々の混合マイクロキャビティの中で二つの液体試料を収集し、そして
i)機械混合器、例えば、混合マイクロキャビティの中で磁石粒子を含むことにより、および／もしくは
ii)外部の磁石と組み合わせたマイクロキャビティの中で磁石粒子を含むことにより行われる可能な慣性力の使用、および／もしくは
iii)混合マイクロキャビティに連結されたマイクロ導管の中での前後の輸送、
により混合を引き起こすこと、
に基づいている。
【００７１】
例えば前後に回転することにより、装置の加速するおよび／もしくは減速する動きは、慣性力を生じ得る。前後の輸送は、一つの方向で毛管輸送を、反対の方向で遠心力、即ち、適切な微小流体装置の断続的な回転、を用いることにより引き起こされ得る。混合マイクロキャビティの出口は、閉じていないバルブ、例えば、疎水性継ぎ目もしくはマイクロチャネル構造のマイクロ導管の内部表面／壁の側面の断面積における急激な変化により定義される受動性バルブのようなバルブを典型的に備えている。入口ポートの一つもしくは両方は、先の段落で記述された容積規定ユニットを備えても備えなくてもよい。上記の混合は、ＵＳ  ６,５８２,６６２ (Tecan)；ＵＳ  ６,５７２,４３２(Tecan)、ＵＳ  ２００２００２５５８３(First Medical Inc)、ＷＯ  ０２０７４４３８(Gyros AB)、ＷＯ  ０３０１８１９８、ＷＯ  ０５０３２３９９(Gyros AB)、ＰＣＴ／ＳＥ２００５／０００４０３(Gyros AB)、ＵＳ  ５,５９１,６４３ (Abaxis)、ＷＯ  ２００４１０３８９１(Gyros AB)等に提示されている。
【００７２】
それぞれのマイクロチャネル構造は、少なくとも一つの液体用の入口開口部(１０５ａ〜ｂ、１０７ａ〜ｈ)ならびに過剰空気(通気口)用のおよび場合によりまた液体(廃棄チャネル(１１２)の中の円)用の少なくとも一つの出口開口部(１１６ａ〜ｉ、１１２)を有する。
【００７３】
微小流体装置は、装置当り複数のマイクロチャネル構造を含有し、そこでは一つの構造が、本発明にしたがって固相を含有するように意図されている。この文脈での複数は、二つ、三つもしくはそれ以上のマイクロチャネル構造を意味して、典型的には、≧１０、例えば、≧２５もしくは≧９０もしくは≧１８０もしくは≧２７０もしくは≧３６０、である。
【００７４】
機能性ユニットの二つもしくはそれ以上の間で微小流体装置／マイクロチャネル構造内で液体を輸送するために、異なる原理を利用し得る。例えば、次の段落で記載されるディスクを回転することにより、慣性力を使用し得る。他の有用な力は、毛管力、静水圧等のような毛管力、動電子力、非動電子力である。
【００７５】
微小流体装置は典型的にはディスクの形態である。好ましいフォーマットは、ディスク平面に垂直であるかもしくはそれと合致する対称軸(Ｃｎ)[ここで、ｎは≧２、３、４もしくは５の整数、好ましくは∞(Ｃ∞)である]を有する。換言すれば、ディスクは、正方形のような方形であり得るか、もしくは他の多角形の形態であり得るが、好ましくは円形である。典型的にはディスク平面に垂直もしくは平行である回転軸の周りに、装置を回転することは、必要な遠心力を生じ得る。回転軸がディスク平面に対して垂直でない態様は、ＷＯ  ０４０５０２４７(Gyros AB))に示されている。
【００７６】
もしも遠心力が、反応マイクロキャビティ／固相を通る液流を駆動するのに使用されるならば、反応マイクロキャビティは、典型的に、回転軸から外側に本質的に放射状で流動方向に位置している。
【００７７】
好ましい装置は、典型的にディスク形態であり、従来のＣＤフォーマットと同様なサイズおよび／もしくは形を有し、例えば、従来のＣＤ−直径(１２ｃｍ)を持つ円形ディスクの１０％〜３００％までの範囲にあるサイズを有する。
【００７８】
微小流体装置のマイクロチャネル／マイクロキャビティは、次の工程でもう一つの本質的に平面な基板(蓋)によりカバーされる、カバーされていない形態でチャネル／キャビティを示す本質的に平面な基板表面から製造され得る。ＷＯ  ９１０１６９６６(Pharmacia Biotech AB)およびＷＯ  ０１０５４８１０(Gyros AB)を参照されたい。両方の基板は、好ましくはプラスチック物質、例えば、可塑性高分子物質から製造される。
内部表面の汚損活性および親水性は、適用に関連して均衡が取れているべきである。例えば、ＷＯ  ０１４７６３７(Gyros AB)を参照されたい。
【００７９】
マイクロチャネル構造の内部表面の文脈において用語“濡れ可能性”(親水性)および“非濡れ可能性”(疎水性)は、表面がそれぞれ、≦９０°もしくは≧９０°の水接触角を有することを意図する。異なる機能性部分の間の液体の効率的な輸送を容易にするために、個別の部分の内部表面は、主として濡れ可能性であるべきであり、好ましくは、≦６０°の、例えば≦５０°もしくは≦４０°もしくは≦３０°もしくは≦２０°の接触角を有する。これらの濡れ可能性値は、マイクロ導管の少なくとも一つ、二つ、三つ、四つもしくはそれ以上の内壁に適用される。一つもしくはそれ以上の内壁が、より高い水接触角を有する、例えば疎水性である場合には、これは、一つもしくはそれ以上の他の内壁(複数を含む)のより濡れ可能性の高い表面により相殺され得る。特に入口装備における、濡れ可能性は、液体がキャビティ／マイクロ導管に入り始めれば、使用されるべき水性液体が毛管力(自己吸引)により意図されたマイクロキャビティ／マイクロ導管を満たすことが出来るように適合させるべきである。マイクロチャネル構造の中の親水性内部表面は、例えば、受動性バルブ、抗−吸上げ手段、孔(環境外気等への通気口(図１で長方形)としてのみ機能する)を導入するために、一つもしくはそれ以上の局所的疎水性表面継ぎ目を含んでもよい。例えば、ＷＯ  ９９０５８２４５、ＷＯ  ０２０７４４３８、ＵＳ  ２００４０２０２５７９、ＷＯ  ２００４１０５８９０、ＷＯ  ２００４１０３８９１(全てGyros AB)を参照されたい。接触角とは、使用温度、典型的に２５℃、での値を指し、静的であって、ＷＯ  ０００５６８０８およびＷＯ  ０１０４７６３７(全てGyros AB)に例示される方法により測定され得る。
【実施例】
【００８０】
実験の部
アッセイ手順
本発明を二つのモデル系：
ａ)抗−ＰＰＶ抗体をアナライトとしそしてＰＰＶが結合した固相を親和性反応物１として(抗原および標識ＰＰＶを親和性反応物２(抗原)として)、ならびに
ｂ)抗−ＩｇＧモノクローナル抗体をアナライトとし、固相に結合したＩｇＧを親和性反応物１(抗原)とし、そして標識ＩｇＧを検出可能な親和性反応物２(抗原)として、
の中で検討した。
ＰＰＶはブタのパルボウイルスを意味する。実験の部で用いられるようにアッセイの主要工程は、工程１)  捕捉試薬の添加＝ビオチン化ウシ血清アルブミン(ＢＳＡ)と組み合わせたビオチン化ＰＰＶ−抗原もしくはビオチン化ＩｇＧの添加、工程２)  アナライトの添加／捕捉工程＝アナライト(抗−ＰＰＶ抗体もしくは抗−ＩｇＧ抗体)を含有する試料の添加；ならびに工程３)  測定／検出工程＝フルオロフォアで標識されたＰＰＶ抗原もしくはフルオロフォアで標識されたＩｇＧの添加である。選択された特別なアッセイプロトコルは、Bioaffy 1C v2と呼ばれて、その詳細は実験の部の終わりに示されている。
略語の“ＰＰＶ”は、ブタのパルボウイルスからの抗原調製物を指す。
【００８１】
微小流体装置および計器装備
微小流体装置は、ＷＯ  ０４０８３１０８(Gyros AB)およびＷＯ  ０４０８３１０９(Gyros AB)で示されるものと同一であった。固相は、ストレプトアビジンが固定化された、フェニルデキストランで被膜されたポリスチレン粒子であって、反応マイクロキャビティ(１０４)の中で床／カラムに充填されていた。加工するために使用された機器は、レーザー蛍光検出器を備えたGyrolab Workstationであって、微小流体ディスクは、Bioaffy CD microlaboratoryであり、両方ともGyros AB, Uppsala, Swedenの製品であった。
【００８２】
実施例１：抗−ＰＰＶ抗体のアッセイ
アナライト：National Veterinary Institute, Uppsala, Swedenからのウサギのポリクローナル抗−ＰＰＶ抗血清およびマウスの抗−ＰＰＶＩｇＧモノクローナル。Svanova, Swedenからのマウスの抗−ＰＰＶＩｇＧモノクローナル(Svanovir[登録商標]：血清の中のＰＰＶ抗体の検出のためのＥＬＩＳＡ試験。マニュアル番号１９-７４００-００／０４)。ＰＰＶ抗原との免疫感作の種々の段階の間にマウスから採取される血清試料。標準品は、５段階で希釈される(１／５〜１／７８１２５)、ＰＰＶで免疫感作中にマウスから採取した血清であった。
【００８３】
試薬：ＰＰＶおよびウシ血清アルブミン(ＢＳＡ)。ＰＰＶは、Rivera, E at the National Veterinary Institute, Uppsala, Sweden (Rivera E 等、“The Rb1 fraction from ginseng elicits Th1 immunity” Vaccine (in press))から得られた。プールＩＩの調製物を使用した。
【００８４】
ビオチン化試薬(ＰＰＶ＝親和性反応物１、ＢＳＡ)
●ＰＰＶ５０μｇを用いた。１ｍｇ／ｍＬの濃度を得るために、ウイルスフラクション５００μＬをPall CorporationsからのNanosep 30Kフィルターの中で遠心分離した。ＥＺ−リンク−スルホ−ＮＨＳ−ＬＣ−ビオチン(Pierce)を１０ｍＭに希釈して、２０倍のモル過剰で使用した。溶液を混合して、室温で４０分間インキュベートした。Nano Sep 30Kカラムの膜の上の反応混合液と一緒にＰＢＳ(０.０１５Ｍ  ＮａＰＯ４  ｐＨ７.４、０.１５Ｍ  ＮａＣｌ、０.０２％ＮａＮ３)４５０μＬの容積を入れること、引き続き約５０μＬが残るまで、１３,０００ｒｐｍで遠心分離することにより、遊離のビオチンを除去した。遊離のビオチンが除去されたことを確認するために、ＰＢＳ  ４５０μＬでもう一度洗浄を実施した。最終の容積は６０μｌであった。
●本質的に同一の手順をウシ血清アルブミン(ＢＳＡ)のビオチン化に使用した。出発濃度は、３００μＬの容積の中で１ｍＬ当りＢＳＡ  １ｍｇであった。ビオチン試薬を１２倍のモル過剰で使用した。精製工程を、Pierceからのタンパク質脱塩回転カラムを用いて実施した。最終の容積は３３０μｌであった。
【００８５】
フルオロフォアで標識されたＰＰＶ(親和性反応物２)
ウイルス調製物９０μｇを、Pall CorporationsからのNanosep 30Kフィルターを用いて１ｍｇ／ｍＬに濃縮して、Alexa fluorophor 647 モノクローナル抗体標識化キット(A-20186, Molecular Probe)で製造者の指示に従って標識した。最終調製物は、９０μＬの容積を有した。
【００８６】
固定化されてビオチン化された反応物のタイトレーション(固定化ＰＰＶ＝親和性反応物１)
ＰＰＶを検出可能な様式で抗体に結合させるために、ビオチン化ウシ血清アルブミン(ＢＳＡ)と一緒にビオチン化ＰＰＶを固相の上で固定化した。濃度の適当な組合せは、抗体がビオチン化されたおよび標識された試薬の両方に結合すること、即ち、二つの抗原調製物を“ブリッジング”することが出来るように定める必要がある。従来の抗体アッセイでは、この測定は、カラムが抗原で飽和されている限り必要で無かったであろう。しかしながら、本発明にしたがうアッセイでは、抗体は、これが検出抗原(親和性反応物２)に結合することを妨げることから、固定化抗原(親和性反応物１)に両方の腕で結合することを許容しない。他方、応答を発生させるために、固相の上に固定化された十分な抗原(親和性反応物１)があるべきであって、さもなければアッセイは有用ではない。もしも抗原および抗体の間の反応平衡が、いずれかの側にあまりに多く偏っていたならば、信号を得ることは、理論的に不可能である。
【００８７】
ＰＢＳ−Ｔの中でビオチン化ＰＰＶ(希釈１／１０〜１／１２８０)およびビオチン化ＢＳＡ(希釈１〜１／１２８)の希釈された／未希釈の原液の異なる１：１組合せを試験した。ＰＰＶと一緒にＢＳＡを使用する目的は、ストレプトアビジンのカラムをタンパク質で十分に飽和して、かくして標識ＰＰＶおよびその予め固定化されたストレプトアビジンを含んでいる固相との間の非特異的表面相互作用を避けることである。
【００８８】
ブリッジング結合を促進するために、ビオチン化ＰＰＶおよびビオチン化ＢＳＡの混合液を、捕捉試薬の添加工程で加えた。ブランクおよび試料の間の信号比率を計算した。試料およびバックグランド応答との間の大きい比率が、高性能を持つアッセイに望まれる。結果は、８０〜１６０倍の範囲でＰＰＶについての希釈およびＢＳＡについて１６〜６４倍の範囲での希釈を示唆した。
【００８９】
タイトレーションを更に詳しく研究するために、ビューア(使用された機器の中のソフトウエアプログラム)の図表を比較して、評価した。カラムの上のより多いＰＰＶは、より大きい信号を、そしてカラムのトップでアナライトの富化をもたらすことを観察することができた。応答の絶対値は、Ｖ６４ビオチン化ＢＳＡについてＶ８０の希釈で転換点を示した。ビューアは、より多くのビオチン化ＢＳＡは、ピークにより広いベースを与えて、プロフィールはつぶれているように見えることを示した。カラムのトップでピークを持つカラムのプロフィールは、アルゴリズムができるだけ多くの信号を集積するために好ましかった。
【００９０】
ＢＳＡおよびＰＰＶの間の比率は、約１.５７でなければならないことを結論することができた。試薬を節約する興味において、選ばれた希釈は、１：１として一緒に混合されたＰＰＶについてＶ１００およびＢＳＡについてＶ６４であった。これは、ＰＰＶについてＶ８０およびＢＳＡ調製物についてＶ５１に後で修飾された。
【００９１】
フルオロフォアで標識されたＰＰＶ(親和性反応物２)のタイトレーション
また、フルオロフォアで標識されたＰＰＶ反応物についての最適濃度を、１％ＢＳＡを含むＰＢＳの中で三つの異なる希釈、Ｖ１０、Ｖ２０およびＶ４０、のフルオロフォアで標識されたＰＰＶ原液を用いることにより試験した。ウサギ抗−ＰＰＶ血清を逐次的に希釈して、参照試料として使用して、全てのタイトレーションについてデータポイントを作成した。希釈の１／４０が最低のバックグランドを与えたことが見出された。この希釈をその結果として使用した。
【００９２】
性能
精度：マウスの血清を、１％ＢＳＡを含むＰＢＳで１２５倍に希釈して、１２回繰り返して吸引して、アッセイした。変動係数(ＣＶ)は１.８９％であった。
測定範囲：図２を参照されたい。
再現性：図３を参照されたい。
【００９３】
試料希釈
血清試料について可能な希釈係数を評価するために、低力価の抗−ＰＰＶを持つ二匹のマウス、中間力価の抗−ＰＰＶを持つ二匹のマウスおよび高力価の抗−ＰＰＶを持つ二匹のマウスを選択した。全ての試料を、免疫感作後二週間で採取した。試料を、１／２、１Ａ、Ｖｓ、Ｖ１６およびＶ３２として希釈して、三回操作した。試料を、如何なる技術的問題もなく異なる希釈で分析した。最小に希釈した試料を、全てのマウスについて測定して、バックグランド信号から区別することができた。
【００９４】
ゲルろ過
ブリッジングアッセイが免疫グロブリンのクラスに独立していることを立証するために、ゲルろ過実験を実施した。血清をＰＰＶの免疫感作の間に五匹のマウスから二回採取して１００μＬを集めた：ａ)ＩｇＭを期待できた免疫感作後二週間(２ｖ１)、およびｂ)大抵はＩｇＧが存在する、ブースター後五週間(５ｖＩＩ)。集積液を、Superdex[登録商標](AeKTA FPLC[登録商標])の上で、最初にミリＱ水で三回洗浄し、引き続いて脱気したＰＢＳで二回平衡化し、その後で血清試料を注入することにより、別々にクロマトグラフした。フラクションをマイクロタイター・ウェルに集めた。検出範囲内の各第二番目のフラクションを、Bioaffy[登録商標]CD microlaboratoryの上で本発明のアッセイ方法で試験した。
【００９５】
免疫感作後二週間で得られた集積液について二つの明確なピークにおいて、活性が見出された。より低い活性ピークは、ボイド容量に近接した一方で、より高い活性ピークは、アルブミンの保持容量に近接した。この故に、アナライトの分子サイズは、広く変動して、ＰＰＶ特異的なＩｇＭが低活性ピークに、そしてＰＰＶ特異的なＩｇＧが高活性ピークに寄与するとみられる。ブースター後五週間に採取された試料については、唯一つの活性ピークを見ることができた。このピークは、ＩｇＧと予測される、クロマトグラムのエリアに割り当てられた。
【００９６】
未知の試料の定量化：ＰＰＶでの免疫感作の間にマウスからの合計２３４個の血清を、１／２５の正常希釈において三回操作した。この希釈は、飽和されたカラムが見出された高い抗−ＰＰＶの抗体力価を持つ試料については不十分であることが分かった。飽和されたカラムを示している試料は、更に高い希釈で再試験を行った。
【００９７】
実施例２：抗−ＩｇＧ抗体のアッセイ
アナライト：Sigma(製品番号５５５７８４)からの一つのポリクローナル抗体およびヒトＩｇＧに特異的な三つのモノクローナル抗体をアナライトとして使用し、ここで、BD Pharmingenが一つのクローン(１９８８５)を供給し、そしてFitzgeraldが残りの二つのクローン(１０−１２１および１０−１１７)を供給した。モノクローナルは、図４ａ〜ｃの中で１５６１、１５２３および１５６０と呼ばれている。
【００９８】
試薬
骨髄腫からのヒトモノクローナルＩｇＧ１λ(Sigma)を、抗原(ｈＩｇＧ)として使用した。
●ｈＩｇＧをＰＰＶについて上で記述したのと同様の方法でビオチンで標識した。ビオチン反応については、第一の工程は、保存緩衝液中のＴｒｉｓが、ビオチン試薬と干渉する可能性があるので、緩衝液を交換することであった。Pall CorporationsからのNanosep 30Kフィルターをこの目的に使用した。Ｔｒｉｓの除去後に、ＥＺ−リンク−スルホ−ＮＨＳ−ＬＣ−ビオチン(Pierce)を１０ｍＭに希釈して、１２倍のモル過剰でｈＩｇＧ溶液１００μＬに加えた。溶液を混合して、室温で１時間インキュベートした。２８０ｎｍにおける吸光度を測定して、タンパク質濃度を３.４５μＭに決定した。ビオチン化ｈＩｇＧ＝親和性反応物１；
●フルオロフォアの標識化をＰＰＶについて上で記述された通りに行った。ｈＩｇＧの出発量は１００μｇであった。標識化の程度を、２８０ｎｍにおよび６０５ｎｍにおける吸光度を測定することにより２.７６μＭの最終濃度を持つタンパク質１モル当り約７モルのＡＬＥＸＡ(フルオロフォア)と決定した。フルオロフォアで標識したｈＩｇＧ＝親和性反応物２。
【００９９】
試薬のタイトレーション
ビオチン化試薬(ＭｇＧおよびＢＳＡ)をタイトレーションを行い、異なるモノクローナル抗体をアナライトとして試験する前に、アッセイ系について最適の希釈を見出した。手順は、ビオチン化ＢＳＡと１：１の比率で混合されたビオチン化ＭｇＧの原液の種々の希釈を用いたが、ＰＰＶについてと本質的に同一の手順であった。カラムプロフィールと共に、信号およびブランクの間の応答比率は、最も望ましい組合せの最終選択のための根拠となった。ビオチン化ＭｇＧの１／１００とビオチン化ＢＳＡの１／６４の組合せが選ばれた。
【０１００】
また、検出抗原(フルオロフォアで標識されたＭｇＧ)の希釈液を試験して、大きい信号対ノイズ比を得た。フルオロフォアで標識されたＭｇＧを２０、４０および８０の希釈係数で操作した。４０の希釈係数が選択された。
全てのタイトレーション実験について、ポリクローナル抗体を対照アナライトとして使用した。
【０１０１】
異なる量のビオチン化抗原
三つのモノクローナルマウス抗−ヒトＩｇＧを、１：１の比率で(下を参照)ビオチン化ＢＳＡと一緒にビオチン化ＭｇＧ(Ｂ＊ＭｇＧ)の組合せで試験した。
１／４  Ｂ＊ＭｇＧ            １／６４  Ｂ＊ＢＳＡで
１／２０  Ｂ＊ＭｇＧ          １／６４  Ｂ＊ＢＳＡで
１／１００  Ｂ＊ＭｇＧ          １／６４  Ｂ＊ＢＳＡで
１／５００  Ｂ＊ＭｇＧ          １／１６  Ｂ＊ＢＳＡで
ストレプトアビジンカラムのタンパク質による飽和を確実にするために、および非特異的相互作用を避けるために、Ｖ１６ＢＳＡの希釈を最も希釈されたビオチン化ＩｇＧと共に用いた。モノクローナル抗−ＭｇＧ抗体(アナライト)を、５０００ｎｇ／ｍＬから８ｎｇ／ｍＬまでの範囲にある濃度で別々に操作して、五つのデータポイントで曲線を作成した。検出を、６９ｎＭのフルオロフォアで標識されたＭｇＧで行った。
【０１０２】
Gyrolabビューアで研究されたカラムのプロフィールは、更に少ない抗原がカラムに加えられるときよりも捕捉試薬混合液の中に更に多くの抗原(ＭｇＧ)があるときに更に高い応答レベルを示している。全ての三つの抗体のピークは、ビオチン化された抗原が更に少なく存在するときには崩れるように見え、より台形様のピークとなる傾向が同様にある。捕捉試薬混合液の中に更に少ない抗原を含むことにより、抗原に対して低い親和性を持つ抗体か消えていって、最終的にはブランクレベルに近づくであろうことが可能であるように実際見えた。この可能性は、アナライトとして用いられた三つのモノクローナル抗−ＩｇＧ抗体について得られた標準曲線によりまた支持される。図４ａ〜ｃを参照されたい。
【０１０３】
使用されたアッセイプロトコル(Bioaffy 1C 2v)は、工程：
●当初必要とされる洗浄：粒子洗浄１、粒子洗浄回転１、粒子洗浄２、および粒子洗浄回転２
●捕捉試薬の添加：捕捉試薬回転、捕捉試薬洗浄１、捕捉試薬洗浄回転１、捕捉試薬洗浄２、捕捉試薬洗浄回転２
●アナライトの添加：アナライト回転、アナライト洗浄１、アナライト洗浄回転１、アナライト洗浄２、およびアナライト洗浄回転２
●ＣＤ配置１：バックグランドＰＭＴ１％を検出、バックグランドＰＭＴ５％を検出、バックグランドＰＭＴ２５％を検出、スピンアウト、検出試薬添加、検出試薬回転、検出試薬洗浄１、検出試薬洗浄回転１、検出試薬洗浄２、検出試薬洗浄回転２、検出試薬洗浄３、検出試薬洗浄回転３、検出試薬洗浄４、検出試薬洗浄回転４
●ＣＤ配置２：ＰＭＴ１％を検出、ＰＭＴ５％を検出、ＰＭＴ２５％を検出
を含む。
【０１０４】
実施例３：ヘテロフィル抗体のアッセイ
このアッセイは、Ｒ−１５３０マウス抗−ｈＴＮＦα抗体を捕捉抗体として、および他のマウス抗−ｈＴＮＦα抗体を検出抗体として利用するサンドイッチｈＴＮＦαアッセイにより、数個の血清および血漿試料(クエン酸塩血漿、ヘパリン血漿、ＥＤＴＡ血漿)において、当該顕著な正のアッセイ応答が、思いがけなく見出されたことに基づいてデザインされた。
【０１０５】
微小流体装置および計器装備：実施例１および２についてと同一。
アッセイ手順：実施例１および２について概略されるように。
【０１０６】
試料：１６人の血液提供者からの血清。血清を終夜冷蔵庫の中で解凍し、ボルテックス撹拌して、最後にEppendorf遠心器で＋８℃において４０００ｒｐｍで１５分間遠心分離した。
【０１０７】
緩衝液
ＰＢＳ−Ｔ：１.５ｍＭ  ＰＢＳ  ｐＨ７.４，Tween[登録商標]０.０５％、ＮａＮ３  ０.０２％
ＰＢＳ−ＢＳＡ：１.５ｍＭ  ＰＢＳ  ｐＨ７.４，ＮａＮ３  ０.０２％、１％ＢＳＡ
【０１０８】
試薬：
【表１】
2008527372.tif 000003
１) 実施例２でｈＩｇＧについて概略されたようにビオチン化された
２) 実施例２でＭｇＧについて概略されたようにAlexa 647で標識された
３) 微小流体装置の中に導入された溶液の濃度
【０１０９】
対照標準：
ＰＢＳ−ＢＳＡの中で２.４〜１７５０ｐｇ／ｍＬの範囲での組換えｈＴＮＦα。
【０１１０】
結果
顕著に高められたレベルの異好性の抗体を、数個の血清試料の中で測定することができた。原理的には、同一の相対的な変異をそれぞれの検出抗体についてならびに血液提供者の血清に対応するＥＤＴＡ−、ヘパリン−およびクエン酸塩−血漿について得ることができた。
【０１１１】
本発明のある特定の革新的態様は、添付の請求項の中に更に詳しく規定されている。本発明およびその利点が詳細に記述されているけれども、添付の請求項により定義した本発明の精神および範囲から逸脱することなく、種々の変更、置き換えならびに改変をその中でなし得ることが理解されるべきである。さらに、本明細書の範囲は、本明細書の中で記述される加工、機械、製造、物質の成分、手段、方法および工程の特定の実施態様に限定されることを意図しない。当業者が本発明の開示から容易に認識するように、現在存在する、または実質的に同一の機能を実施するもしくは本明細書の中で記述される対応する実施態様と実質的に同一の結果を達成する、後で開発される加工、機械、製造、物質の成分、手段、方法、もしくは工程を、本発明にしたがって利用し得る。したがって、添付の請求項は、それらの範囲の中にそのような加工、機械、製造、物質の成分、手段、方法、もしくは工程を含むことを意図する。
【図面の簡単な説明】
【０１１２】
【図１】実験の部で用いられる微小流体装置の断面。断面は、マイクロチャネル構造のサブセットを含む。
【図２ａ】ＣＤアッセイ間およびＣＤアッセイ内の測定範囲。図２ａ：ウサギα−ＰＰＶを同じ日に三回操作した。測定範囲は、４桁以上で、ＣＤ間およびＣＤ内の両方は、良好な再現性を示している。ｘ軸上の１００の濃度は、１２５の希釈係数に相当する。
【図２ｂ】ＣＤアッセイ間およびＣＤアッセイ内の測定範囲。図２ｂ：１.９６〜６.０８の範囲にあるＣＶのプロット化。
【図３ａ】再現性。プールされて逐次的に希釈された五匹のマウスからの四つの標準曲線。操作を同一の機器の上で四日繰り返した。お互いのトップに標準曲線を置くことにより良好な再現性を立証することができた。ｘ軸上の１００の濃度は、１２５の希釈係数に相当する。
【図３ｂ】再現性。ＣＶは、３.７４〜６.１５の範囲であり、変動は小さい。
【図４ａ】アナライトとして三つの異なる抗−ｈＩｇＧモノクローナルについての標準曲線および固相の上の捕捉抗原(親和性反応物１)としてｈＩｇＧの種々の量／密度。検出抗原は、フルオロフォアで標識したｈＩｇＧ(親和性反応物２)である。
【図４ｂ】アナライトとして三つの異なる抗−ｈＩｇＧモノクローナルについての標準曲線および固相の上の捕捉抗原(親和性反応物１)としてｈＩｇＧの種々の量／密度。検出抗原は、フルオロフォアで標識したｈＩｇＧ(親和性反応物２)である。
【図４ｃ】アナライトとして三つの異なる抗−ｈＩｇＧモノクローナルについての標準曲線および固相の上の捕捉抗原(親和性反応物１)としてｈＩｇＧの種々の量／密度。検出抗原は、フルオロフォアで標識したｈＩｇＧ(親和性反応物２)である。
【図１】
2008527372.tif 000004
【図２ａ】
2008527372.tif 000005
【図２ｂ】
2008527372.tif 000006
【図３ａ】
2008527372.tif 000007
【図３ｂ】
2008527372.tif 000008
【図４ａ】
2008527372.tif 000009
【図４ｂ】
2008527372.tif 000010
【図４ｃ】
2008527372.tif 000011
【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
アナライトと、ＢＳを提示して固相に固定化される親和性反応物１を含む親和性複合体の生成により、
ａ) アナライトを含有していると疑われる液体試料１の中に存在する、および
ｂ) 少なくとも二つの同等な結合構造ＢＳに同時に親和性結合する能力に関して少なくとも二価であるアナライトの決定方法であって、
(i) 微小流体装置のマイクロチャネル構造の形態で流路を提供し、当該構造が、その中に親和性反応物１が固定化された固相がある反応キャビティを含んでいる、
(ii) キャビティの上流の位置で試料１を提供して、試料１を流動条件下に親和性複合体の生成の形成用の反応キャビティを通って流動する、
(iii) 固相の中に形成される複合体の量を
ａ．結合構造ＢＳを反応キャビティの上流の位置の中に含む、分析的に検出可能でかつ可溶性の親和性反応物２を含有する液体試料２を提供すること、
ｂ．試料１が同一のキャビティを通過していた後でこの試料２をキャビティを通って流動すること、および
ｃ．複合体の中に組み込まれた親和性反応物２の量を測定すること
により測定する：
工程を含んでいることを特徴とする、方法。
【請求項２】
アナライトが抗−ＢＳ抗体であることを特徴とする、請求項１に記載の方法。
【請求項３】
抗−ＢＳ抗体がＢＳに対する親和性の点で異なる抗−ＢＳ抗体の副集団を含むことを特徴とする、請求項２に記載の方法。
【請求項４】
抗−ＢＳ抗体が異なるモノクローナル抗−ＢＳ抗体の混合物であることを特徴とする、請求項２に記載の方法。
【請求項５】
抗−ＢＳ抗体がポリクローナル抗−ＢＳ抗体である、即ち、異なる細胞から由来しているモノクローナル抗−ＢＳ抗体の混合物を含んでいる天然の抗−ＢＳ抗体調製物であることを特徴とする、請求項２〜４のいずれか１項に記載の方法。
【請求項６】
請求項２〜５のいずれか１項に記載の方法であって、固相の中のＢＳの密度および量ならびに工程(ii)の間の流体速度を、抗体副集団のフラクションのみが固相のＢＳにより捕捉されるようにお互いに適合させたことを特徴とする、方法。
【請求項７】
請求項１〜６のいずれか１項に記載の方法であって、本方法の間で加工に耐える結合を形成するために、お互いに相互的に反応性である、反応性構造の固定ペアの使用により固相のＢＳが固相に結合していて、当該反応性構造(ＲＳｓｐ)の一方が工程(i)の前に固相の上に予め導入され、他方の反応性構造(ＲＳａｒ１)が親和性反応物１の上に存在し、そして当該形成が工程(i)の前もしくは間の何れかで行われることを特徴とする、方法。
【請求項８】
当該固定ペアが固相に結合しているリガンドＬを含んでいる固定親和性ペアであって、カウンターパートがＢＳに結合している固定結合要素Ｂであることを特徴とする、請求項７に記載の方法。
【請求項９】
工程(ii)で使用される固相がＢＳの固定化に利用されたことがない反応性ＲＳｓｐ構造から誘導された構造を含むことを特徴とする、請求項７〜８のいずれか１項に記載の方法。
【請求項１０】
当該固相が多孔性床の形態であることを特徴とする、請求項１〜９のいずれか１項に記載の方法。
【請求項１１】
請求項１〜１０のいずれか１項に記載の方法であって、
ａ) 当該アナライトが抗体である、
ｂ) 当該試料がＢＳを含んでいる抗原に暴露された後のもしくは暴露後と疑われる動物の体液から由来する、および
ｃ) 当該暴露が起ったかどうか、または当該暴露により免疫応答の状態が当該動物の中に生じたかどうかを決定するために、当該方法を実施する
ことを特徴とする、方法。
【請求項１２】
当該アナライトに関する疾患の診断に該方法が使用される、請求項１〜１１のいずれか１項に記載の方法。
【手続補正２】
【補正対象書類名】明細書
【補正対象項目名】００３１
【補正方法】変更
【補正の内容】
【００３１】
親和性結合を介する固定化は、メンバー(固定化リガンド、Ｌ＝ＲＳｓｐ)の一つが固相物質にしっかりと結合した固定親和性ペアを利用し得る。他のメンバー(固定結合要素、Ｂ＝ＲＳａｒ１)が、結合要素ＢおよびＢＳ(抗体アナライトに対する抗原／ハプテンに等しい)を含んでいるコンジュゲート(固定コンジュゲート)として使用される。ペアは、典型的に、それが固定化されるべき親和性反応物の親和性反応と干渉しないように選択されて、かくしてそれが非干渉性である、一連の親和性反応物の固定化に有用であり得る。換言すれば、結合要素Ｂおよび親和性リガンドＬは両方とも一般的である。固定親和性ペアの例は、ａ)ストレプトアビジン、アビジン、ニュートラビジン、抗−ビオチン抗体等のようなビオチンに結合する化合物およびビオチン、ｂ)抗−ハプテン抗体および相当するハプテンもしくは抗原、ｃ)ＩＭＡＣ基(固定化金属親和性キレート)ならびにヒスチジルおよび／もしくはシステイニルおよび／もしくはリン酸化アミノ酸残基を含んでいるアミノ酸配列(即ち、ＩＭＡＣモチーフ)、ｄ)抗−種特異的抗体および相当する種からのＩｇ類、ｅ)クラス／サブクラス−特異的抗体および相当するクラスからのＩｇ類、ｆ)Ｉｇ類および細菌に由来するＩｇを結合するタンパク質(もしくはその逆)等である。相当する未反応の親和性反応物と同一のカウンターパートに親和性を提示するフラグメントもしくは誘導体は、そのペアと同一のペアの一員である、即ち、免疫グロブリンについては、フラグメントは、種にもしくはクラス／サブクラスに特異的なＩｇ部分を含み得る。Ｉｇは、哺乳動物の免疫グロブリンならびに他の動物の相当するタンパク質を意味する。
【手続補正３】
【補正対象書類名】明細書
【補正対象項目名】００３５
【補正方法】変更
【補正の内容】
【００３５】
また、結合能力を、ＲＳａｒｌに対する実際の結合能力、即ち、ＲＳｓｐ(床の形態および水のような液体で飽和された)を含有する固相の、単位容積当りのモル活性ＲＳａｒ１構造として測定することができる。この種類の結合能力は、固定化技術、固相の細孔サイズ、固定化されるべき要素のサイズ、固相の物質およびデザイン等に依存するであろう。理想的には、結合部位(上記で定義)の総数と同様の範囲が、実際の結合能力に適用される。
【手続補正４】
【補正対象書類名】明細書
【補正対象項目名】００３６
【補正方法】変更
【補正の内容】
【００３６】
実際の結合能力の測定を、当分野で周知の原理にしたがって行うことができる。これは典型的には、固相のＲＳｓｐがＲＳａｒ１を含有している過剰の試薬で飽和され、その後でＲＳｓｐに結合された量を、例えば固相の上で直接にもしくは溶離後に、測定することを意味する。測定を容易にするために、例えば、ＲＳａｒ１を含有している標識された試薬および標識されていない試薬の混合物の使用により、試薬の標識形態を使用してもよい。
【手続補正５】
【補正対象書類名】明細書
【補正対象項目名】００４２
【補正方法】変更
【補正の内容】
【００４２】
ある特定の態様では、親和性反応物１を含んでいて、固相の上にＢＳ構造を導入するために使用される液体試料はまた、一つもしくはそれ以上の更に別な親和性反応物を含有し、それぞれは、ａ)ＲＳａｒ１について上で記載したＲＳｓｐと反応し得る反応性構造ＲＳ、およびｂ)上で記載されたタイプの他の少なくとも二価のアナライトに対する親和性を有している。換言すれば、液体試料は、第一のアナライトに対する特異性を持つ親和性反応物１２、第二のアナライトに対する特異性を持つ親和性反応物１２、第三のアナライトに対する特異性を持つ親和性反応物１３等を含有する。これらの態様では、最終の固相は、複数の親和性反応物を含有して、同一の液体試料の中で二つもしくはそれ以上のアナライトをアッセイする(多重化)のに有用であるであろう。それぞれのアナライトは、それ自身のユニークな結合構造ＢＳ(２１、２２、２３等)を持つそれ自身の検出可能な親和性反応物２を必要とするであろう。
【手続補正６】
【補正対象書類名】明細書
【補正対象項目名】００４３
【補正方法】変更
【補正の内容】
【００４３】
ＢＳの導入に使用されない反応性構造ＲＳｓｐを中和するために無関係な反応物が使用される場合には、工程(ii)で使用される最終の固相は、固相の上にＢＳ(親和性反応物１)の導入のために利用されなかったＲＳｓｐから誘導される構造を含有するであろう。これらの固相は、本出願と平行して出願された我々の同時係属国際出願の中に記述される、別の発明“発明の別の態様”の一部である。
固定親和性ペアは、ＲＳｓｐおよびＲＳａｒ１として好まれている。
【手続補正７】
【補正対象書類名】明細書
【補正対象項目名】００４６
【補正方法】変更
【補正の内容】
【００４６】
上で定義した流動条件はまた、好ましくは、固相への他の親和性反応物、例えば親和性反応物２(工程(iii))の捕捉の間に適用される。親和性が高いアナライトの副集団の選択的な測定に望ましい流動条件とするための同様の一般的な傾向は、また、工程(iii)の一部として起こるときに、固相への親和性反応物２の捕捉について適用されるようである。
親和性が高いアナライトの副集団の選択的な決定に望ましい流動条件は、本明細書中で下で更に記載される。ＷＯ  ０２０７５３１２(Gyros AB)をまた参照されたい。
【手続補正８】
【補正対象書類名】明細書
【補正対象項目名】００６７
【補正方法】変更
【補正の内容】
【００６７】
かくして、微小流体装置のマイクロチャネル構造(１０１ａ〜ｈ)は、ａ)例えば、場合により容積計量ユニット(１０６ａ〜ｈ、１０８ａ〜ｈ)(装置内で加工されるべき液体アリコートを計量するための)と一緒に入口ポート／入口開口部(１０５ａ〜ｂ、１０７ａ〜ｈ)を含んでいる入口装備(inlet arrangement)(１０２、１０３ａ〜ｈ)、ｂ)液体輸送用のマイクロ導管、ｃ)反応マイクロキャビティ(１０４ａ〜ｈ)；ｄ)混合マイクロキャビティ／ユニット；ｅ)液体(入口装備の中に存在し得る)から粒子状物質を分離するためのユニット、ｆ)例えば、キャピラリー電気泳動、クロマトグラフィー等により、試料の中で溶解されたかもしくは懸濁された成分をお互いから分離するためのユニット；ｇ)検出マイクロキャビティ；ｈ)廃棄導管／マイクロキャビティ(１１２、１１５ａ〜ｈ)；ｉ)バルブ(１０９ａ〜ｈ、１１０ａ〜ｈ)；ｊ)環境外気への通気口(１０６ａ〜ｉ)；液体分割(液体ルーター)等：の中で選択される一つ、二つ、三つもしくはそれ以上の機能性ユニットを含み得る。機能性ユニットは、数個の機能性を有してもよく、例えば反応マイクロキャビティ(１０４ａ〜ｈ)および検出マイクロキャビティが合致してもよい。微小流体装置の中の種々の種類の機能性ユニットは、Gyros AB/Amersham Pharmacia Biotech AB：ＷＯ  ９９０５５８２７、ＷＯ  ９９０５８２４５、ＷＯ  ０２０７４４３８、ＷＯ  ０２０７５３１２、ＷＯ  ０３０１８１９８(ＵＳ  ２００３００４４３２２)、ＷＯ  ０３０３４５９８、ＷＯ  ０５０３２９９９(ＵＳ  ＳＮ  １０／９５７,４５２)、ＷＯ  ０４１０３８９０、ＷＯ  ２００５０９４９７６により、ならびにTecan/Gamera Biosciences：ＷＯ  ０１０８７４８７、ＷＯ  ０１０８７４８６、ＷＯ  ０００７９２８５、ＷＯ  ０００７８４５５、ＷＯ  ０００６９５６０、ＷＯ  ９８００７０１９、ＷＯ  ９８０５３３１１により記述されている。
【手続補正９】
【補正対象書類名】明細書
【補正対象項目名】００８９
【補正方法】変更
【補正の内容】
【００８９】
タイトレーションを更に詳しく研究するために、ビューア(使用された機器の中のソフトウエアプログラム)の図表を比較して、評価した。カラムの上のより多いＰＰＶは、より大きい信号を、そしてカラムのトップでアナライトの富化をもたらすことを観察することができた。応答の絶対値は、１／６４ビオチン化ＢＳＡについて１／８０の希釈で転換点を示した。ビューアは、より多くのビオチン化ＢＳＡは、ピークにより広いベースを与えて、プロフィールはつぶれているように見えることを示した。カラムのトップでピークを持つカラムのプロフィールは、アルゴリズムができるだけ多くの信号を集積するために好ましかった。
【手続補正１０】
【補正対象書類名】明細書
【補正対象項目名】００９０
【補正方法】変更
【補正の内容】
【００９０】
ＢＳＡおよびＰＰＶの間の比率は、約１.５７でなければならないことを結論することができた。試薬を節約する興味において、選ばれた希釈は、１：１として一緒に混合されたＰＰＶについて１／１００およびＢＳＡについて１／６４であった。これは、ＰＰＶについて１／８０およびＢＳＡ調製物について１／５１に後で修飾された。
【手続補正１１】
【補正対象書類名】明細書
【補正対象項目名】００９１
【補正方法】変更
【補正の内容】
【００９１】
フルオロフォアで標識されたＰＰＶ(親和性反応物２)のタイトレーション
また、フルオロフォアで標識されたＰＰＶ反応物についての最適濃度を、１％ＢＳＡを含むＰＢＳの中で三つの異なる希釈、１／１０、１／２０および１／４０、のフルオロフォアで標識されたＰＰＶ原液を用いることにより試験した。ウサギ抗−ＰＰＶ血清を逐次的に希釈して、参照試料として使用して、全てのタイトレーションについてデータポイントを作成した。希釈の１／４０が最低のバックグランドを与えたことが見出された。この希釈をその結果として使用した。
【手続補正１２】
【補正対象書類名】明細書
【補正対象項目名】００９３
【補正方法】変更
【補正の内容】
【００９３】
試料希釈
血清試料について可能な希釈係数を評価するために、低力価の抗−ＰＰＶを持つ二匹のマウス、中間力価の抗−ＰＰＶを持つ二匹のマウスおよび高力価の抗−ＰＰＶを持つ二匹のマウスを選択した。全ての試料を、免疫感作後二週間で採取した。試料を、１／２、１／４、１／８、１／１６および１／３２として希釈して、三回操作した。試料を、如何なる技術的問題もなく異なる希釈で分析した。最小に希釈した試料を、全てのマウスについて測定して、バックグランド信号から区別することができた。
【手続補正１３】
【補正対象書類名】明細書
【補正対象項目名】０１０１
【補正方法】変更
【補正の内容】
【０１０１】
異なる量のビオチン化抗原
三つのモノクローナルマウス抗−ヒトＩｇＧを、１：１の比率で(下を参照)ビオチン化ＢＳＡと一緒にビオチン化ＭｇＧ(Ｂ＊ＭｇＧ)の組合せで試験した。
１／４  Ｂ＊ＭｇＧ            １／６４  Ｂ＊ＢＳＡで
１／２０  Ｂ＊ＭｇＧ          １／６４  Ｂ＊ＢＳＡで
１／１００  Ｂ＊ＭｇＧ          １／６４  Ｂ＊ＢＳＡで
１／５００  Ｂ＊ＭｇＧ          １／１６  Ｂ＊ＢＳＡで
ストレプトアビジンカラムのタンパク質による飽和を確実にするために、および非特異的相互作用を避けるために、１／１６ＢＳＡの希釈を最も希釈されたビオチン化ＩｇＧと共に用いた。モノクローナル抗−ＭｇＧ抗体(アナライト)を、５０００ｎｇ／ｍＬから８ｎｇ／ｍＬまでの範囲にある濃度で別々に操作して、五つのデータポイントで曲線を作成した。検出を、６９ｎＭのフルオロフォアで標識されたＭｇＧで行った。
【国際調査報告】
2008527372.tif 000012
2008527372.tif 000013
2008527372.tif 000014
2008527372.tif 000015
2008527372.tif 000016
2008527372.tif 000017